(57)【要約】  画像形成装置（１００）は、原稿セット検知部（３ａ、Ｓ１、Ｓ５）と、原稿サイズ検知部（３ａ、Ｓ２、Ｓ３、Ｓ５）と、手差しトレイ（６１）自体にはセットされた手差し用紙のサイズを検知するためのセンサーが設けられない手差し給紙部（６）と、画像データに基づき印刷を行う印刷部（５）と、手差し給紙部（６）から給紙を行う設定を受け付ける操作パネル（４）と、セット原稿のサイズを認識し、認識したセット原稿のサイズを手差し用紙のサイズと認識する手差し用紙自動設定を行う制御部（７）とを備える。
2016052526.tif 000002
【特許請求の範囲】
【請求項１】
原稿がセットされたことを検知する原稿セット検知部と、セットされた原稿のサイズを検知するための原稿サイズ検知部を含む読取ユニットと、
印刷に用いる用紙を供給し、手差しトレイを含み、前記手差しトレイ自体にはセットされた用紙のサイズを検知するためのセンサーが設けられない手差し給紙部を備え、前記読取ユニットでの読み取りで得られた画像データ、又は、受信したデータに基づき印刷を行う印刷部と、
印刷と原稿読み取りに関する設定を行うための設定画面を表示する表示部を含み、印刷と原稿読み取りに関する設定を受け付け、更に、前記手差し給紙部から給紙を行う設定、前記手差しトレイにセットされた用紙である手差し用紙のサイズの設定、及び、前記読取ユニットにセットされた原稿のサイズの設定を受け付ける操作パネルと、
前記原稿サイズ検知部の出力に基づき前記読取ユニットにセットされた原稿であるセット原稿のサイズの自動検知、又は、前記操作パネルへの前記セット原稿のサイズの設定に基づき前記セット原稿のサイズを認識し、認識した前記セット原稿のサイズを前記手差し用紙のサイズと認識する手差し用紙自動設定を行い、前記手差し給紙部に給紙を行わせ、認識した用紙のサイズである認識サイズに基づき、前記手差し給紙部から給紙された用紙への印刷を前記印刷部に行わせる制御部と、を備えることを特徴とする画像形成装置。
【請求項２】
複数の設定値である条件設定値が予め定められ、
前記条件設定値について所定の組合せが定められ、
前記制御部は、前記読取ユニットに原稿がセットされている状態であって、所定の前記組合せに含まれる前記条件設定値の全てが設定されたときに前記手差し用紙自動設定を行い、所定の前記組合せに含まれる前記条件設定値の全てが設定されていない状態では、前記読取ユニットに原稿がセットされても、前記手差し用紙自動設定を行わないことを特徴とする請求項１に記載の画像形成装置。
【請求項３】
前記制御部は、所定の前記組合せに含まれる前記条件設定値の全てが設定された時点と、前記時点から所定時間遡った時点の間に、前記操作パネルへの入力により前記手差し用紙のサイズが設定されていたとき、前記手差し用紙自動設定を行わず、前記操作パネルで設定されたサイズを、前記手差し用紙のサイズと認識することを特徴とする請求項２に記載の画像形成装置。
【請求項４】
前記印刷部は、前記手差し給紙部以外の給紙部を含み、
前記操作パネルは、複数の給紙元のなかから１つを選択する設定と、印刷における倍率の設定と、原稿サイズの設定を受け付け、
前記条件設定値は、前記手差し給紙部を給紙元とする設定値、印刷の倍率における等倍の設定値、前記原稿サイズ検知部の出力に基づき原稿サイズを自動検知する旨の設定値、及び、前記セット原稿のサイズを指定する設定値であり、
前記制御部は、前記手差し給紙部を給紙元とする設定値、等倍の設定値、前記原稿サイズ検知部の出力に基づき原稿サイズを自動検知する旨の設定値が設定されたとき、自動検知した前記セット原稿のサイズを前記手差し用紙のサイズと認識する前記手差し用紙自動設定を行い、
前記手差し給紙部を給紙元とする設定値、等倍の設定値、前記セット原稿のサイズを指定する設定値が設定されたとき、指定された前記セット原稿のサイズを前記手差し用紙のサイズと認識する前記手差し用紙自動設定を行うことを特徴とする請求項２に記載の画像形成装置。
【請求項５】
前記表示部は、給紙元を設定するための給紙元選択画面を表示するとともに、前記給紙元選択画面にて前記手差しトレイを給紙元として選択する設定がなされたとき、前記制御部が認識している原稿のサイズを前記手差し用紙のサイズとする設定を行うための原稿同サイズキーを含む手差し用紙設定画面を表示し、
前記操作パネルが前記原稿同サイズキーに対する操作を受け付けたとき、
前記制御部は、前記原稿サイズ検知部の出力に基づき検知された原稿サイズ、又は、使用者が指定した原稿サイズを前記手差し用紙のサイズと認識することを特徴とする請求項１に記載の画像形成装置。
【請求項６】
前記制御部が前記手差し用紙自動設定を行ったとき、
前記操作パネルは、前記条件設定値を変更する設定を受け付けないことを特徴とする請求項２に記載の画像形成装置。
【請求項７】
前記手差し用紙自動設定が行われてから、前記操作パネルが、前記条件設定値を変更する設定を受け付けたとき、
前記制御部は、前記手差し用紙自動設定による用紙サイズの認識結果を破棄し、前記破棄がなされたとき、前記手差し用紙のサイズを設定するための設定画面を前記表示部に表示させることを特徴とする請求項２に記載の画像形成装置。
【請求項８】
前記制御部は、前記手差し用紙自動設定により、前記手差しトレイの用紙のサイズが異なるサイズに変更されたと認識した後、前記原稿セット検知部の出力に基づき、セットされた原稿が無くなったことを認識した状態であって、現在の時刻が予め定められた時間帯に属しているとき、予め定められた定形サイズを前記手差し用紙のサイズと認識することを特徴とする請求項１に記載の画像形成装置。
【請求項９】
前記制御部は、前記手差し用紙自動設定により前記手差し用紙のサイズが異なるサイズに変更されたと認識した後、前記原稿セット検知部の出力に基づき、セットされた原稿が無くなったことを認識したとき、変更前のサイズを前記手差し用紙のサイズと認識することを特徴とする請求項１に記載の画像形成装置。
【請求項１０】
所定期間内での前記手差し用紙と設定され印刷に使用された回数を用紙サイズごとに記憶する記憶部を含み、
前記制御部は、前記手差し用紙自動設定により前記手差し用紙のサイズが異なるサイズに変更されたと認識した後、前記原稿セット検知部の出力に基づき、セットされた原稿が無くなったことを認識したときであって、前記所定期間内での変更前のサイズの用紙を用いて印刷ジョブを行った回数が所定値以上のとき、変更前のサイズを前記手差し用紙のサイズと認識することを特徴とする請求項９に記載の画像形成装置。
【請求項１１】
前記印刷部は、給紙された用紙を搬送する搬送部と、トナー像を形成し搬送される用紙に転写する画像形成部と、前記搬送部内に設置され搬送される用紙を検知する搬送センサーを含み、
前記手差し給紙部から給紙がなされている場合、
前記制御部は、前記搬送センサーの用紙の到達検知から通過検知までの時間に予め定められた搬送速度を乗じて印刷に用いられる用紙の副走査方向のサイズを求め、求めた前記副走査方向のサイズと、認識している前記手差し用紙のサイズが異なるとき、前記画像形成部に前記トナー像の形成を停止させ、前記表示部に正しいサイズの用紙をセットすべき旨の表示を行わせ、前記搬送部に排出トレイまで用紙を搬送させることを特徴とする請求項１に記載の画像形成装置。
【請求項１２】
前記操作パネルは、印刷における倍率の設定を受け付け、
設定された倍率が等倍でない倍率であって、前記手差し給紙部から給紙を行う設定がなされているとき、
前記制御部は、前記手差し用紙のサイズに注意すべき旨の警告メッセージを前記表示部に表示させることを特徴とする請求項２に記載の画像形成装置。
【請求項１３】
前記制御部は、設定された倍率が等倍でないとき、設定された倍率で印刷するときに推奨される前記手差し用紙のサイズを求め、前記警告メッセージと求めた推奨の前記手差し用紙のサイズを前記表示部に表示させることを特徴とする請求項１２に記載の画像形成装置。
【請求項１４】
前記制御部は、前記警告メッセージを表示するとき、前記手差し用紙のサイズを選択するためのキーを前記表示部に表示させ、前記キーに対する操作によって前記手差し用紙のサイズとして選択されたサイズと検知された原稿サイズが同じとき、倍率の設定値を等倍に自動的に設定するとともに検知された原稿サイズを前記手差し用紙のサイズと認識することを特徴とする請求項１３に記載の画像形成装置。
【請求項１５】
原稿のセットを検知し、
原稿サイズ検知部を用いてセットされた原稿のサイズを検知し、
印刷に用いる用紙を供給し、
読み取りで得られた画像データ、又は、受信したデータに基づき印刷を行い、
印刷と原稿読み取りに関する設定を行うための設定画面を表示し、
印刷と原稿読み取りに関する設定を受け付け、
手差しトレイを含み、前記手差しトレイ自体にはセットされた用紙のサイズを検知するためのセンサーが設けられない手差し給紙部から給紙を行う設定、前記手差しトレイにセットされた用紙である手差し用紙のサイズの設定、及び、前記読取ユニットにセットされた原稿のサイズの設定を受け付け、
前記原稿サイズ検知部の出力に基づき前記読取ユニットにセットされた原稿であるセット原稿のサイズの自動検知、又は、受け付けられた前記セット原稿のサイズの設定に基づき前記セット原稿のサイズを認識し、
認識した前記セット原稿のサイズを前記手差し用紙のサイズと認識する手差し用紙自動設定を行い、
認識した用紙のサイズである認識サイズに基づき、前記手差し給紙部から給紙された用紙への印刷を行うことを特徴とする画像形成装置の制御方法。
【発明の詳細な説明】
【技術分野】
【０００１】
本発明は、手差し給紙部を含む画像形成装置に関する。
【背景技術】
【０００２】
複合機、複写機、プリンターのような画像形成装置は、印刷に用いる用紙を収容し、給紙する用紙カセットを備える。一般に、用紙カセット内にセット可能な用紙サイズは、Ａ型サイズやレターサイズのような定形サイズである。また、用紙カセットとは別に、手差しトレイが画像形成装置に設けられることがある。手差しトレイの用紙を差し変えれば給紙できる状態になる。そのため、手差しトレイは、サイズの異なる用紙への変更が用紙カセットに比べ容易という利点がある。また、定形以外のサイズ（カスタムサイズ）の用紙を用いて印刷する場合、手差しトレイに用紙がセットされる。【０００３】
このような、手差し給紙機能を備えた画像形成装置の一例が特許文献１に記載されている。具体的に、特許文献１には、手差し給紙機能を有し、形成すべき画像を記憶し、記憶された画像と設定された複写倍率から手差しにより給紙されるべき記録紙のサイズを求め、求めた記録紙のサイズを使用者に報知する画像形成装置が記載されている。この構成により、セットすべき記録紙のサイズを報知して、用紙のセット作業での使用者の負担を無くそうとする（特許文献１：請求項１、段落［０００４］参照）。
【先行技術文献】
【特許文献】
【０００４】
【特許文献１】特開平０８−０１６０４５号公報
【発明の概要】
【発明が解決しようとする課題】
【０００５】
画像形成装置が認識している用紙サイズ（認識サイズ）と、実際にセットされた用紙のサイズにずれかあると、適切に印刷をできない場合がある。例えば、自動変倍機能が設定されているとき、自動変倍で定まる倍率は、原稿のサイズとセットされた用紙のサイズとの比に基づき定まる。認識サイズと実際のサイズにずれがあると、適切な印刷がなされない場合がある。もし、大きい方向に誤って自動的に倍率が設定されると、原稿の内容の全てが用紙内に収まるように印刷されない。また、用紙サイズよりも大きな画像（トナー像）の形成がなされ、トナーの無駄が生ずる。また、小さい方向に誤って自動倍率が設定されると、用紙に対し印刷された部分が小すぎる。【０００６】
このように、印刷に用いる用紙サイズを正しく認識する必要があるが、使用者が印刷を行うたびに用紙サイズの設定を行わなくてはすむように、画像形成装置には、セットされた用紙のサイズを検知するセンサーが設けられる。具体的に、副走査方向（用紙搬送方向）と主走査方向（用紙搬送方向と垂直な方向）のそれぞれの方向で用紙のサイズを認識する必要がある。そこで、用紙カセットのような用紙がセットされる部分ごとに、複数のサイズ検知用センサーが設けられる。【０００７】
従来、用紙サイズを検知するため、手差しトレイにもサイズ検知用センサーが設けられている。手差しトレイのサイズ検知用センサーをカットすると（無くすと）、手差し用紙のサイズ検知の代わりに、使用者自身が手差しトレイにセットした用紙（以下、「手差し用紙」と称する。）のサイズ設定を印刷のたびに行わなくてはならない。手差しトレイにセットした用紙のサイズを操作パネルで設定する場合、通常、複数回の設定画面の遷移を経なければならない。そのため、手差しトレイから給紙して印刷するたびに、手差し用紙のサイズ設定を行わなくてはならないことを煩わしく感じる使用者もいる。また、用紙を変更しやすい手差しトレイでは、用紙カセットよりも用紙サイズを変える回数が多くなる傾向がある。そのため、なおさら、使用者に煩わしさを感じさせやすい。これらの理由から、従来、手差しトレイには、サイズ検知用センサーを必須のものとして設けており、画像形成装置の製造コストを下げることができないという問題がある。【０００８】
ここで、特許文献１記載の技術では、手差しトレイにセットすべき用紙のサイズを報知する。しかし、報知を行うためには、全ての原稿の読み取りの終了が条件である（特許文献１：段落［００２９］、［００３０］）。そのため、原稿読み取り完了まで使用者は待たなくてはならない。原稿読み取り完了後、使用者は、適切な用紙を手差しトレイにセットする。そのため、原稿セットからコピー開始までに長時間を要する。操作パネルにセットする用紙のサイズを入力する方が速い場合もある。従って、特許文献１記載の技術では使用者の不便、煩わしさを解消しきれない。【０００９】
本発明は、上記従来技術の問題点に鑑み、手差し用紙のサイズ検知用のセンサーを設けなくても、手差し用紙の適切なサイズを自動的に設定する。
【課題を解決するための手段】
【００１０】
上記目的を達成するために画像形成装置は、原稿がセットされたことを検知する原稿セット検知部と、セットされた原稿のサイズを検知するための原稿サイズ検知部を含む読取ユニットと、印刷に用いる用紙を供給し、手差しトレイを含み、前記手差しトレイ自体にはセットされた用紙のサイズを検知するためのセンサーが設けられない手差し給紙部を備え、前記読取ユニットでの読み取りで得られた画像データ、又は、受信したデータに基づき印刷を行う印刷部と、印刷と原稿読み取りに関する設定を行うための設定画面を表示する表示部を含み、印刷と原稿読み取りに関する設定を受け付け、更に、前記手差し給紙部から給紙を行う設定、前記手差しトレイにセットされた用紙である手差し用紙のサイズの設定、及び、前記読取ユニットにセットされた原稿のサイズの設定を受け付ける操作パネルと、前記原稿サイズ検知部の出力に基づき前記読取ユニットにセットされた原稿であるセット原稿のサイズの自動検知、又は、前記操作パネルへの前記セット原稿のサイズの設定に基づき前記セット原稿のサイズを認識し、認識した前記セット原稿のサイズを前記手差し用紙のサイズと認識する手差し用紙自動設定を行い、前記手差し給紙部に給紙を行わせ、認識した用紙のサイズである認識サイズに基づき、前記手差し給紙部から給紙された用紙への印刷を前記印刷部に行わせる制御部と、を備えることとした。
【発明の効果】
【００１１】
本発明によれば、手差し用紙サイズ検知用のセンサーを設けなくても、手差しトレイにセットされた用紙の適切なサイズが自動的に認識、設定される。また、印刷に用いる用紙を原稿として検知させるために原稿をセットし、印刷時の手差しの用紙サイズとして自動設定することもできる。
【図面の簡単な説明】
【００１２】
【図１】複合機を示す図である。
【図２】読取ユニットを示す図である。
【図３】複合機のハードウェア構成を示す図である。
【図４】読取ユニットを示す図である。
【図５Ａ】コピー機能のコピー初期画面の一例を示す図である。
【図５Ｂ】給紙元選択画面の一例を示す図である。
【図５Ｃ】原稿サイズ設定画面の一例を示す図である。
【図６】手差し用紙自動設定の一例を示すフローチャートである。
【図７】セット原稿が無くなったときの手差し用紙のサイズの自動変更の流れの一例を示すフローチャートである。
【図８】セット原稿が無くなったときの手差し用紙のサイズの自動変更に関する自動変更設定画面の一例を示す図である。
【図９】複合機での手差しトレイから給紙して印刷するときの流れの一例を示すフローチャートである。
【図１０】等倍でない倍率が設定されたときの警告メッセージの一例を示す。
【図１１】設定された倍率に応じて推奨する用紙サイズを求めるためのデータの一例を示す。
【図１２】手差し給紙部（手差しトレイ）の用紙サイズを設定するための手差し用紙設定画面の一例を示す図である。
【発明を実施するための形態】
【００１３】
以下、本発明の実施形態を図１〜図９を用いて説明する。そして、以下の説明では、複合機１００（画像形成装置に相当）を例に挙げて説明する。但し、各実施の形態に記載されている構成、配置等の各要素は、発明の範囲を限定するものではなく単なる説明例にすぎない。
【００１４】
（画像形成装置の概要）
まず、図１を用いて、実施形態に係る複合機１００の概要を説明する。
【００１５】
図１に示すように、複合機１００は、上部に原稿搬送部２と画像読取部３を含む読取ユニット１を有する。又、複合機１００は、操作パネル４を有する。そして、又、複合機１００は、印刷部５として、給紙部５ａ（給紙カセット）、手差し給紙部６、搬送部５ｂ、画像形成部５ｃ、定着部５ｄを含む。
【００１６】
操作パネル４は、印刷と原稿読み取りに関する設定画面や、各種メッセージ（注意、エラー、状態など）を表示する表示部４１を備える。操作パネル４は、表示部４１に対し設けられたタッチパネル部４２（入力部に相当）や、原稿の読み取りやコピージョブの実行を指示するためのスタートキー４３ａ、テンキー部４３ｂのようなハードキー４３（入力部に相当）を含む。そして、操作パネル４は、用紙や原稿のサイズのような印刷、送信の条件などの設定も受け付ける。また、操作パネル４は、印刷と原稿読み取りに関する設定を受け付け、手差し給紙部６から給紙を行う設定と手差しトレイ６１にセットされた用紙（手差し用紙）のサイズの設定を受け付ける。また、操作パネル４は、読取ユニット１にセットされた原稿のサイズの設定を受け付ける（詳細は後述）。
【００１７】
図１に示すように、給紙部５ａは、複数枚の用紙を収容し、印刷のとき、用紙を送り出す。尚、給紙部５ａは、２つの給紙カセットを含む。手差し給紙部６は、印刷のとき、手差しトレイ６１にセットされた用紙（手差し用紙）を給紙する。手差し給紙部６は、手差しトレイ６１と、手差し規制板６２と、回転して手差し用紙を送り出す手差し給紙ローラー６３を含む。手差し規制板６２は、一対のスライドする板状の部材（図１において一方のみ可視）であり、セット位置が適切になるように手差し用紙の位置を規制する。一対の手差し規制板６２は、両方の手差し規制板６２の内側の面に用紙の端縁が沿うようにスライドさせられる。
【００１８】
搬送部５ｂは、給紙部５ａや手差し給紙部６から供給された用紙を画像形成部５ｃまで導く。画像形成部５ｃは、画像データに基づきトナー像を形成し、用紙に転写する。定着部５ｄは、トナー像が転写された用紙を加熱・加圧して、用紙にトナー像を定着させる。定着後の用紙は、排出トレイ５１に排出される。尚、両面印刷のとき、定着部５ｄから排出された片面印刷済みの用紙は、スイッチバックされたのち、両面印刷用搬送部５ｅを通して下方に送られ、搬送部５ｂを経て画像形成部５ｃに再度送られる。
【００１９】
（読取ユニット１の構成）
次に、図２を用いて、実施形態に係る読取ユニット１を説明する。
【００２０】
上述のように、読取ユニット１は、原稿搬送部２と画像読取部３を含む。まず、原稿搬送部２は、原稿を搬送して読み取るとき（送り読取のとき）、セットされた原稿（セット原稿）を１枚ずつ、自動的、連続的に読み取り位置（送り読取用コンタクトガラス３１）に搬送する。又、原稿搬送部２は、図２の紙面奥側を支点として、画像読取部３に対し手前側を上下方向に振るように開閉自在に取り付けられる。そのため、載置読取用コンタクトガラス３２に載置された原稿の読み取りのとき（載置読み取りのとき）、原稿搬送部２は、原稿と各コンタクトガラスを上方から抑えるカバーとしても機能する。
【００２１】
原稿搬送部２は、原稿搬送方向上流側から順に、原稿トレイ２１、原稿給紙部２２、原稿搬送路２３、複数の原稿搬送ローラー対２４（２４ａ〜２４ｄ）、原稿排出ローラー対２５、原稿排出トレイ２６を含む。原稿は、表面を上に向けた状態で、原稿トレイ２１にセットされる。原稿トレイ２１の原稿搬送方向下流側の一部は、回動軸を中心に回動（可動）する。原稿トレイ２１への原稿セットを検知したとき（各種検知の詳細は後述）、可動部２１ａの原稿搬送方向下流側の端部は、上昇するように回動し、最上位の原稿と原稿給紙部２２を当接させる。全原稿搬送完了や、セット原稿が取り除かれたとき、可動部２１ａは下降する。
【００２２】
スタートキー４３ａのタッチのような原稿読取を行う旨の入力が複合機１００に入力されると、原稿給紙部２２は、原稿搬送路２３に原稿を１枚ずつ送り出す（原稿給紙）。原稿搬送ローラー対２４は、原稿トレイ２１から送り出された原稿を原稿搬送路２３に沿って搬送する。そして、原稿は、送り読取用コンタクトガラス３１の上面を通過する。この通過の際、画像読取部３が読取を行う。また、原稿排出ローラー対２５は、読み取りがなされた原稿を原稿排出トレイ２６に排出する。
【００２３】
次に、画像読取部３を説明する。図１や図２に示すように、画像読取部３は、箱形の筐体を有する。そして、画像読取部３の上面左側に搬送される原稿が通過する送り読取用コンタクトガラス３１が配される。そして、画像読取部３の上面右側に透明板状の載置読取用コンタクトガラス３２が配される。書籍のような原稿を１枚ずつ読み取る場合、使用者は、原稿搬送部２を持ち上げ、読取面を下向きにして載置読取用コンタクトガラス３２に原稿を載置する。
【００２４】
又、図２に示すように、画像読取部３は、筐体内に、原稿を読み取るための読取機構３ａを含む。読取機構３ａは、第１移動枠３３１、第２移動枠３３２、ワイヤー３４ａ、巻取ドラム３４ｂ、レンズ３５ａ、原稿に光を照射し、ＬＥＤや蛍光管のようなランプ３３０、原稿に照射された光が入射され、１ライン毎に原稿を読み取り、画像データを生成するためのイメージセンサー３５を含む。イメージセンサー３５には、ライン状に光電変換素子を並べたＣＣＤ（Charge  Coupled  Device）方式のものを用いることができる。
【００２５】
第１移動枠３３１と第２移動枠３３２は、ランプ３３０、第１ミラー３３ａ、第２ミラー３３ｂ及び第３ミラー３３ｃを含む。ランプ３３０から発せられ、原稿で反射された光は、各ミラーによりレンズ３５ａに導かれる。レンズ３５ａを介し、イメージセンサー３５に反射光が入射される。イメージセンサー３５は、白黒読み取りとカラー読み取りに対応する。第１移動枠３３１及び第２移動枠３３２には複数本のワイヤー３４ａが取り付けられる（図２では便宜上１本のみ図示）。ワイヤー３４ａの他端は巻取ドラム３４ｂに接続される。駆動源（巻取モーター３ｍ、図４参照）により、巻取ドラム３４ｂが回転し、第１移動枠３３１と第２移動枠３３２を水平方向に自在に移動させることができる。
【００２６】
送り読取（搬送原稿の読み取り）のとき、巻取モーター３ｍが駆動した後、第１移動枠３３１と第２移動枠３３２は、ホームポジションから移動し、送り読取用コンタクトガラス３１の下方位置（読み取り位置）に固定される。一方、載置読取（載置読取用コンタクトガラス３２上の原稿の読み取り）のとき、第１移動枠３３１及び第２移動枠３３２を巻取ドラム３４ｂやワイヤー３４ａにより、ホームポジションから図２の右方向に水平に移動させる。そして、走査動作を、載置読取用コンタクトガラス３２の左端から原稿端部まで連続的に行わせる。画像読取部３は、イメージセンサー３５の出力に基づき、読み取った原稿の画像データを生成する。
【００２７】
（複合機１００のハードウェア構成）
次に、図３に基づき、実施形態に係る複合機１００のハードウェア構成を説明する。
【００２８】
図３に示すように、複合機１００は、内部に制御部７を含む。制御部７は、装置の各部を制御する。制御部７は、ＣＰＵ７１や、印刷や送信に用いる画像データを生成する画像処理部７２や、その他の電子回路や素子を含む。
【００２９】
ＣＰＵ７１は、記憶部７３に格納される制御プログラムや制御用データに基づき複合機１００の各部の制御や演算を行う。記憶部７３は、ＲＯＭ、フラッシュＲＯＭ、ＨＤＤのような不揮発性の記憶装置と、ＲＡＭのような揮発性の記憶装置の組み合わせである。
【００３０】
制御部７は、印刷部５（給紙部５ａ、手差し給紙部６、搬送部５ｂ、画像形成部５ｃ、定着部５ｄ、両面印刷用搬送部５ｅ）の各部と通信可能に接続される。制御部７は、適切に画像形成が行われるように、給紙、用紙搬送、トナー像の形成、転写、定着を行う印刷部５の各部を制御する。なお、制御部７とは別基板として、印刷部５の制御を実際に行うエンジン制御部を設け、制御部７の指示に基づき、エンジン制御部が印刷部５の動作を制御するようにしてもよい。制御部７は、読取ユニット１での原稿読み取りで得られた画像データに基づき、印刷部５に印刷を行わせることができる（コピー機能）。
【００３１】
又、制御部７には、通信部７４が接続される。通信部７４は、ＰＣやサーバーのようなコンピューター２００やＦＡＸ装置３００と、ネットワークやケーブルを介して通信を行う。通信部７４は、コンピューター２００から画像データや印刷設定を含む印刷用データを受信する。そして、制御部７は、印刷用データに基づく印刷を印刷部５に行わせる（プリンター機能）。又、通信部７４は、読取ユニット１の原稿読み取りに基づく画像データをコンピューター２００やＦＡＸ装置３００に送信できる（送信機能）。
【００３２】
又、制御部７は、読取ユニット１（画像読取部３や原稿搬送部２）と通信可能に接続される。制御部７は、画像読取部３や原稿搬送部２に動作指示を与え、画像読取部３や原稿搬送部２は、指示に応じて動作する。
【００３３】
又、制御部７は、操作パネル４の表示を制御する。制御部７は、タッチパネル部４２やハードキー４３への操作によりなされた設定や使用者の指示を認識し、使用者の指示に合うように、印刷部５や読取ユニット１を制御してジョブを実行させる。
【００３４】
（読取ユニット１の動作制御）
次に、図４に基づき、実施形態に係る読取ユニット１の動作制御を説明する。
【００３５】
原稿搬送部２には、原稿搬送制御部２０が設けられる。原稿搬送制御部２０は、制御部７や読取制御部３０と通信可能に接続される。そして、原稿搬送制御部２０は、制御部７や読取制御部３０の指示、信号に基づき、原稿搬送部２に設けられた部材の動作制御を行う。原稿搬送制御部２０は、ＣＰＵ、ＲＯＭ、ＲＡＭを含む。
【００３６】
一方、画像読取部３には、読取制御部３０が設けられる。読取制御部３０は、制御部７や原稿搬送制御部２０と通信可能に接続される。そして、読取制御部３０は、制御部７や原稿搬送制御部２０の指示、信号に基づき、画像読取部３に設けられた部材の動作制御の動作の制御を行う。読取制御部３０も、ＣＰＵ、ＲＯＭ、ＲＡＭを含む。
【００３７】
送り読取を行うとき、原稿搬送制御部２０は、原稿搬送モーター２８を駆動させ、原稿給紙部２２、各原稿搬送ローラー対、原稿排出ローラー対２５を回転させる。これにより、原稿トレイ２１の原稿が１枚ずつ搬送される。原稿トレイ２１から供給される原稿に一定の紙間を設けつつ、適切なタイミングで原稿を送り出すため、給紙クラッチ２８ａが原稿搬送部２に設けられる。
【００３８】
次に、画像読取部３の動作制御を説明する。読取制御部３０は、中央演算処理装置としてのＣＰＵを含む基板である。
【００３９】
原稿を読み取るとき、読取制御部３０は、巻取モーター３ｍ及び巻取ドラム３４ｂを回転させ、第１移動枠３３１と第２移動枠３３２を移動させる。また、原稿読み取りのとき、読取制御部３０は、ランプ３３０、イメージセンサー３５、読取データ処理部３７を動作させる。読取データ処理部３７は、イメージセンサー３５の各受光素子の出力を補正し、原稿の画像データを生成する。
【００４０】
読取データ処理部３７が生成した画像データは、画像データ転送用の画像メモリー３０ａを経て、記憶部７３に送信される。画像処理部７２は、ジョブの種類や使用者の設定に合わせて記憶部７３の画像データに画像処理を施す。画像処理後の画像データは、画像形成部５ｃの露光装置や通信部７４に送信される、印刷ジョブ（コピー）や送信ジョブに用いられる。
【００４１】
（読取ユニット１での検知）
次に、図２、図４を用いて、原稿搬送部２や画像読取部３に設けられるセンサーを用いた原稿に関する検知を説明する。以下の説明では、（１）原稿トレイ２１への原稿セットの検知と、（２）原稿トレイ２１にセットされた原稿サイズの検知と、（３）原稿搬送部２の開閉の検知と、（４）載置読取用コンタクトガラス３２上への原稿セットとセット原稿のサイズの検知を説明する。
【００４２】
（１）原稿トレイ２１への原稿セットの検知
図２、図４に示すように、原稿搬送部２は、原稿トレイ２１に１又は複数枚の原稿が適切にセットされているか否かを検知するための原稿セットセンサーＳ１（原稿セット検知部に相当）を含む。
【００４３】
図２に示すように、原稿セットセンサーＳ１は、原稿トレイ２１に設けられる。原稿セットセンサーＳ１は、仕様上の最も小さい用紙が原稿トレイ２１にセットされても、原稿を検知できる位置に設けられる。
【００４４】
原稿セットセンサーＳ１は、検知領域（センサー設置位置）に原稿が存在するか否かによって出力が変化するセンサーである。原稿セットセンサーＳ１には、透過型の光センサーや、反射型の光センサーや、機械的なスイッチを用いることができる。
【００４５】
原稿セットセンサーＳ１の出力は、原稿搬送制御部２０に入力される。原稿搬送制御部２０は、原稿セットセンサーＳ１の出力に基づき（原稿セットセンサーＳ１の出力がＨｉｇｈかＬｏｗかにより）、原稿トレイ２１に原稿がセットされているか否かを検知する。そして、原稿セット、及び、セット原稿が無くなったこと（原稿セットセンサーＳ１の出力変化）が、原稿搬送制御部２０から読取制御部３０や制御部７に通知される。これにより、制御部７は、原稿トレイ２１にセットされた原稿があるか否かを認識する。
【００４６】
（２）原稿トレイ２１にセットされた原稿サイズの検知
原稿搬送部２には、原稿トレイ２１に載置された（セットされた）原稿のサイズを検知するためのサイズ検知部２９（原稿サイズ検知部に相当）が設けられる。
【００４７】
サイズ検知部２９は、原稿トレイ２１にセットされた原稿の原稿搬送方向（副走査方向）での原稿のサイズを検知するため、複数のサイズセンサーＳ２を含む。各サイズセンサーＳ２は、原稿トレイ２１の上面に、原稿の搬送方向に沿って複数設けられる。各サイズセンサーＳ２は、上面に原稿が存在するか否かを検知する。各サイズセンサーＳ２は、上方に原稿が存在するときと存在しないときで出力が異なる。各サイズセンサーＳ２には、原稿セットセンサーＳ１と同様に、透過型の光センサーや、反射型の光センサーや、機械的なスイッチを用いることができる。
【００４８】
各サイズセンサーＳ２の出力は、原稿搬送制御部２０に入力される。原稿搬送制御部２０は、各サイズセンサーＳ２の出力に基づき（各サイズセンサーＳ２の出力がＨｉｇｈかＬｏｗかにより）、原稿トレイ２１上の原稿搬送方向での原稿のサイズ（範囲）を検知する。図２において、原稿がセットされていれば、原稿搬送制御部２０は、原稿の副走査方向のサイズが、原稿の存在を検知できた最も右側のサイズセンサーＳ２から原稿トレイ２１の左端までより長く、原稿の存在を検知していない最も左側のサイズセンサーＳ２から原稿トレイ２１の左端までよりも短いと認識する。言い換えると、原稿搬送制御部２０は、原稿の副走査方向の長さの範囲を認識する。
【００４９】
又、サイズ検知部２９は、可変抵抗部Ｓ３を含む。可変抵抗部Ｓ３は、原稿トレイ２１にセットされた原稿の搬送方向と垂直な方向（主走査方向）での原稿のサイズを検知するためのセンサーとして機能する。
【００５０】
具体的に、原稿トレイ２１には、主走査方向で原稿を挟み、位置を規制する一対の原稿規制板２１ｂが設けられる（図２参照）。一対の原稿規制板２１ｂは、予め定められた中心ラインに対し対称的にスライド移動する。一対の原稿規制板２１ｂは、主走査方向で原稿を挟むようにしてスライドし、原稿の位置を規制する。この一対の原稿規制板２１ｂのスライド機構（不図示）と可変抵抗の可動端子（抵抗値調整用端子）が接続される。そして、一対の原稿規制板２１ｂの位置に応じて可変抵抗の抵抗値が変化し、その結果、可変抵抗部Ｓ３の出力値が変化する。
【００５１】
可変抵抗部Ｓ３の出力は、原稿搬送制御部２０に入力される。原稿搬送制御部２０は、可変抵抗部Ｓ３の出力値に基づき、原稿の主走査方向（前後方向）でのサイズを正確に検知する。そして、原稿搬送制御部２０は、各サイズセンサーＳ２による原稿の副走査方向のサイズ（範囲）と、主走査方向のサイズを照らし合わせ、該当する定形の用紙サイズを認識する。そして、認識した原稿の主走査方向と副走査方向のサイズは、原稿搬送制御部２０から制御部７に通知される。これにより、制御部７は、原稿トレイ２１のセット原稿のサイズ（どの定形サイズであるか）を認識する。
【００５２】
（３）原稿搬送部２の開閉の検知
次に、原稿搬送部２の開閉の検知について説明する。載置読取用コンタクトガラス３２への原稿セットのため、原稿搬送部２は開閉できる。この原稿搬送部２の開閉のため、複合機１００の奥側には回転軸（ヒンジ）が設けられる（不図示）。
【００５３】
原稿搬送部２の開閉を検知するため、図２、図４に示すように、画像読取部３には、開閉検知センサーＳ４（原稿セット検知部、原稿サイズ検知部に相当）が設けられる。そして、開閉検知のため、開閉検知センサーＳ４の一部は、画像読取部３の上面に露出する。開閉検知センサーＳ４は、上方に突出するように付勢された突起部（不図示）を含む。
【００５４】
開けられた（持ち上げられた）原稿搬送部２を閉じていくにつれて（引き下げていくにつれて）、原稿搬送部２の下面と突起部が接し、突起部は開閉検知センサーＳ４内に押し込まれる。一方、原稿搬送部２を持ち上げて行くにつれて、突起部の突出量が多くなる。そして、開閉検知センサーＳ４は、突起部の突出量が一定値を越えるか否かによって出力が変化する。
【００５５】
本実施形態の読取ユニット１では、原稿搬送部２の下面と画像読取部３の上面（載置読取用コンタクトガラス３２）のなす角度が所定角度（例えば、１５〜４５度程度）以上か未満かを境目として、開閉検知センサーＳ４の出力値が切り替わる（Ｈｉｇｈ→Ｌｏｗ、又は、Ｌｏｗ→Ｈｉｇｈ）。
【００５６】
そして、開閉検知センサーＳ４の出力は、読取制御部３０に入力される。読取制御部３０は、開閉検知センサーＳ４の出力値に基づき、原稿搬送部２が開状態（所定角度以上）であるか、閉状態（所定角度未満）であるかを検知する。尚、開閉検知センサーＳ４は、原稿搬送部２が開けられた状態か閉じられた状態かを検知できればよく、上記と同じタイプのセンサーに限られない、開閉検知センサーＳ４の出力値が開状態となったとき（原稿搬送部２が開けられたと見なすとき）、及び、開閉検知センサーＳ４の出力値が閉状態となったとき（原稿搬送部２が閉じられたと見なすとき）、その旨が読取制御部３０から制御部７に通知される。これにより、制御部７は、原稿搬送部２の開閉状態を認識する。
【００５７】
（４）載置読取用コンタクトガラス３２上の原稿の有無とセット原稿サイズの検知
図２、図４に示すように、画像読取部３には、載置読取用コンタクトガラス３２に原稿がセットされているか否か、及び、載置原稿のサイズを検知するためのテーブル原稿検知部３８（原稿セット検知部、原稿サイズ検知部に相当）が設けられる。
【００５８】
テーブル原稿検知部３８は、原稿搬送部２を閉じる操作をしたとき（原稿搬送部２が完全に閉じられる前に）、載置読取用コンタクトガラス３２にセットされた原稿の有無と、副走査方向での原稿のサイズを検知する。サイズ検知のため、テーブル原稿検知部３８は、複数のテーブル原稿センサーＳ５を含む。各テーブル原稿センサーＳ５は、上面に原稿が存在するか否かを検知するセンサーである。各テーブル原稿センサーＳ５は、載置読取用コンタクトガラス３２の下方であって上縁端（奥側端縁）に沿って設けられる。
【００５９】
各テーブル原稿センサーＳ５は、原稿の存在を検知しているときと存在しないときで出力が異なる。各テーブル原稿センサーＳ５には、反射型の光センサーのような原稿の読み取りを妨げずに原稿の存在を検知できるものが用いられる。各テーブル原稿センサーＳ５の出力は、読取制御部３０に入力される。載置読取用コンタクトガラス３２の左上隅を基準として原稿が載置される。そして、読取制御部３０は、各テーブル原稿センサーＳ５の出力に基づき（各テーブル原稿センサーＳ５の出力がＨｉｇｈかＬｏｗかにより）、載置読取用コンタクトガラス３２上の原稿の有無と、原稿の副走査方向のサイズの範囲を検知する。
【００６０】
読取制御部３０は、原稿の副走査方向のサイズが、原稿の存在を検知できた最も右側のテーブル原稿センサーＳ５から載置読取用コンタクトガラス３２の左端までの幅よりも長く、原稿の存在を検知できない最も左側のテーブル原稿センサーＳ５から載置読取用コンタクトガラス３２の左端までの幅よりも狭いサイズである、と検知する。なお、読取制御部３０は、全テーブル原稿センサーＳ５が原稿の存在を検知しないとき、セットされた原稿はないと判断する。
【００６１】
また、本実施形態の読取ユニット１では、原稿搬送部２を閉じる操作をしたとき（原稿搬送部２が完全に閉じられる前に）、プレスキャンが行われる。プレスキャンとは、載置読取用コンタクトガラス３２に載置された原稿の有無と、主走査方向のサイズを検知するための読み取りである。
【００６２】
画像読取部３は、原稿搬送部２を開けたことの検知後、原稿搬送部２が所定角度よりも閉じられたこと（開閉検知センサーＳ４の出力値が開状態から閉状態のときの出力値に変化したこと）をトリガとして、プレスキャンを行う。言い換えると、画像読取部３は、原稿搬送部２が少し開いている状態で、プレスキャンを行う。
【００６３】
そして、プレスキャンの実行時、画像読取部３は、巻取モーター３ｍを動作させ、第１移動枠３３１と第２移動枠３３２を、載置読取用コンタクトガラス３２の下方のプレスキャン用位置に移動させる。尚、プレスキャンの完了後、読取制御部３０は、第１移動枠３３１と第２移動枠３３２をホームポジションに戻す。
【００６４】
原稿が存在している部分ではランプ３３０の光は原稿に反射される。そのため、プレスキャンの画像データのうち、原稿の存在位置に対応する画素の画素値は明るく（白く）なる。原稿でランプ３３０の光が反射されないので、原稿が無い部分は、濃い（暗い）画素値となる。そこで、読取制御部３０は、プレスキャンで得られた主走査方向のラインの画像データ中、閾値よりも濃い画素値と閾値以下の薄い画素値の境界を検知する。そして、読取制御部３０は、閾値以上の画素値の連続数、閾値未満の画素値の連続数、境界から載置読取用コンタクトガラス３２の原稿セットの基準点（上端又は下端）までの距離に基づき、ほぼ正確に原稿の主走査方向のサイズを検知できる。読取制御部３０は、認識した原稿の主走査方向のサイズと副走査方向のサイズの範囲を制御部７に通知する。これにより、制御部７は、載置読取用コンタクトガラス３２にセットされた原稿のサイズ（どの定形サイズであるか）も認識する。
【００６５】
一方、プレスキャンの画像データのうち、閾値よりも明るい画素がなければ、読取制御部３０は、載置読取用コンタクトガラス３２にセットされた原稿はないと判断する。具体的に、画像読取部３は、境界を定めることができないとき、あるいは、閾値よりも明るい画素が所定数以下のとき、セット原稿はないと判定する。制御部７は、複数のテーブル原稿センサーＳ５の出力値、及び、プレスキャンの結果に基づき、載置読取用コンタクトガラス３２上の原稿の有無を検知、認識できる。
【００６６】
（コピー機能利用時の設定）
次に、図５Ａ、５Ｂ、５Ｃを用いて、コピー機能を利用する際の設定の一例を説明する。図５Ａは、コピー機能のコピー初期画面４ａの一例を示す図である。図５Ｂは、給紙元選択画面４ａ１の一例を示す図である。図５Ｃは、原稿サイズ設定画面４ａ２の一例を示す図である。
【００６７】
操作パネル４の表示部４１は、各種設定画面を表示する。設定画面内のソフトキーやハードキー４３に対する操作に応じ、表示部４１は、表示する設定画面を切り替える。そして、コピー機能を選択するためのハードキー４３の操作や、表示部４１に表示されるメインメニュー画面（不図示）で、コピー機能を用いる選択（コピージョブを行う選択）がなされたとき、制御部７は、コピー機能に関するコピー初期画面４ａ（図５参照）を表示部４１に表示させる。
【００６８】
コピー初期画面４ａは、コピー機能の各設定画面のなかで、階層的に最上位の画面である。尚、他の機能（スキャン送信、ボックスのような機能）にも、それぞれ設定画面が用意されるが、説明は割愛する。
【００６９】
コピー初期画面４ａは、最初、簡単設定タブＴ１（「Quick  Setup」の文字列を含むタブ）が選択された状態で表示される。簡単設定タブＴ１の選択状態では、図７では、簡単設定タブＴ１が選択されると、「用紙選択」、「用紙サイズ選択」、「原稿サイズ選択」、「両面印刷」、「集約印刷」、「拡大／縮小」に対応する設定項目キーＫ１、Ｋ２、Ｋ３、Ｋ４、Ｋ５、Ｋ６が表示される例を示している。設定項目キーＫ１〜Ｋ６の何れかの表示位置がタッチされると、表示部４１はタッチして選択した設定項目の設定値を設定するための設定画面を表示する。
【００７０】
「用紙選択」の設定項目（設定項目キーＫ１）の表示位置がタッチされたとき、表示部４１は、給紙位置を選択するための給紙元選択画面４ａ１（図５Ｂ参照）を表示させる。図５Ｂの給紙元選択画面４ａ１では、給紙元の候補として給紙部５ａの２つ用紙カセットと、手差しトレイ６１（手差し給紙部６）を表示する例を示している。画面内には、給紙元選択キーＫ１１が配される。用紙カセットと手差しトレイ６１の何れかの文字列が、給紙元選択キーＫ１１内に付される。使用者は、所望する給紙元の給紙元選択キーＫ１１を操作する。これにより、給紙カセットと手差し給紙部６のうち、いずれか１つを給紙元と設定できる。また、Ａｕｔｏ（自動）の文字を含む給紙元選択キーＫ１１を操作することにより、検知された原稿サイズと倍率に応じて、制御部７が給紙元を自動的に選択する設定を行うこともできる。ＯＫキーの操作により、給紙元の設定を完了させることができる。なお、図５Ａは、手差し給紙部６（手差しトレイ６１）が給紙元として設定された状態を示している。
【００７１】
具体的に、手差しトレイ６１から給紙を行って印刷を行うとき、給紙元を手差しトレイ６１に設定する必要がある。操作パネル４（タッチパネル部４２）は、給紙元選択画面４ａ１内の「手差しトレイ」の給紙元選択キーＫ１１の操作を、給紙元を手差しトレイ６１に設定する操作として受け付ける。
【００７２】
「用紙サイズ選択」の設定項目キーＫ２の表示位置がタッチされたとき、表示部４１は、各給紙カセットや手差しトレイ６１にセットした用紙のサイズを設定するための画面を表示させる（不図示）。用紙のサイズ設定では、表示部４１は、複合機１００で利用可能な定形サイズの一覧を表示する。操作パネル４（タッチパネル部４２）は、表示された定形サイズの中から選択されたサイズを、手差し用紙のサイズとして受け付ける。また、手差しトレイ６１にカスタムサイズ（定形でない用紙）をセットして印刷したい場合もある。そのため、表示部４１は、手差し用紙のサイズを数値入力するための画面も表示する。そして、操作パネル４（タッチパネル部４２）は、数値入力されたサイズを手差し用紙のサイズとして受け付ける。図５Ａは、手差し用紙のサイズとしてＡ４が設定された状態を示している。
【００７３】
「原稿サイズ選択」の設定項目キーＫ３の表示位置がタッチされたとき、表示部４１は、原稿トレイ２１又は載置読取用コンタクトガラス３２にセットした原稿のサイズを設定するための原稿サイズ設定画面４ａ２（図５Ｃ）を表示させる。
【００７４】
図５Ｃに示すように、原稿サイズ設定画面４ａ２には、原稿のサイズの分類を選択するための４つの分類キーが表示される。第１定形サイズキーＫ３１は、Ａ型用紙や、Ｂ型用紙に対応するキーである。第２定形サイズキーＫ３２は、レターサイズのようなインチ系の用紙に対応するキーである。その他キーＫ３３は、定形はがきのようなＡ型用紙、Ｂ型用紙、インチ系の用紙の何れにも当てはまらないとして分類されたサイズの用紙に対応したキーである。
【００７５】
第１定形サイズキーＫ３１、第２定形サイズキーＫ３２、その他キーＫ３３の表示位置がタッチされると、表示部４１は、分類キーの右側に配された用紙サイズキー表示領域Ｆ１に、分類に割り当てられた用紙サイズごとのキーを表示する。図５は、第１定形サイズキーＫ３１の操作によって、各種Ａ型用紙やＢ型用紙に対応するキーが一覧的に列挙されている例を示している。操作パネル４（タッチパネル部４２）は、表示された定形サイズのキーの中からキーを選択する操作を、セット原稿のサイズを指定する入力として受け付ける。制御部７は、操作されたキーに対応するサイズをセット原稿のサイズと認識する。
【００７６】
また、操作パネル４（タッチパネル部４２）は、原稿サイズの自動検知の設定も受け付ける。操作パネル４は、自動の文字を含むキー（原稿サイズ自動検知キーＫ３５）の表示位置のタッチを、原稿サイズの自動検知を行う設定として受け付ける（図５Ｃ参照）。この場合、自動検知される原稿サイズは、定形サイズのうち何れかとなる。なお、デフォルトでは、原稿サイズを自動的に検知する設定とされる。
【００７７】
また、使用者は、原稿のサイズとして、不定形サイズ（カスタムサイズ）を設定することもできる。操作パネル４（タッチパネル部４２）は、サイズ入力キーＫ３４の表示位置がタッチされると、原稿の大きさ（カスタムサイズの）を、手入力により設定するための画面（例えば、テンキー部４３ｂに数値入力）を表示する。使用者は、不定形サイズの原稿の実際の大きさを設定入力できる。操作パネル４は、入力された数値を、セットされた原稿のサイズとして受け付ける。
【００７８】
「両面印刷」の設定項目キーＫ４の表示位置がタッチされたとき、原稿が片面か両面かなどの設定値を設定するための設定画面（不図示）が表示される。また、「集約印刷」の設定項目キーＫ５の表示位置がタッチされたとき、「２ｉｎ１」、「４ｉｎ１」といった１ページ内に集約するページ数の設定値や、集約した各ページに境界線を設けるか否かといった設定値を設定するための設定画面（不図示）が表示される。
【００７９】
「倍率」の設定項目キーＫ６の表示位置がタッチされたとき、表示部４１は、原稿のサイズに対する形成画像の倍率（原稿のサイズを１としたときの印刷物のサイズ）を設定するための設定画面（不図示）を表示させる。例えば、５０％〜２００％の間で、１％刻みで倍率を設定することができる。図５Ａは、等倍（１００％）が設定された状態を示している。自動検知された、あるいは、原稿サイズと、用紙サイズ（手差し用紙を含む）に基づき、倍率を自動的に設定する自動変倍の設定値を設定することもできる。なお、原稿サイズの大きさと用紙のサイズに応じた適切な倍率を定めたデータテーブルは、記憶部７３に記憶される。
【００８０】
又、コピー初期画面４ａに表示されない設定項目（例えば、枠消し、余白、読取解像度のような設定項目）を設定するには、使用者は、原稿／用紙／仕上げタブＴ２、カラー／画質タブＴ３、レイアウト編集タブＴ４、応用／その他タブＴ５、プログラムタブＴ６の表示位置をタッチする。各設定項目は、いずれかのタブに予め関連づけられる。表示部４１は、タッチにより指定されたタブに関連づけられた設定項目（設定項目キー）を一覧表示した画面を表示する。
【００８１】
そして、操作パネル４での設定内容は、制御部７に通知される。制御部７は、操作パネル４からの通知により、操作パネル４での設定内容（給紙元、セットされた用紙サイズ、原稿サイズ等）を認識する。
【００８２】
（手差し用紙自動設定）
次に、図６を用いて、コピージョブでの手差し用紙自動設定の流れの一例を説明する。
【００８３】
制御部７は、操作パネル４などで手差し給紙部６から給紙を行う設定がなされ、手差しトレイ６１から印刷に用いる用紙を供給するとき、手差し給紙モーター６４を回転させる。これにより、手差し給紙ローラー６３が回転する。尚、手差しトレイ６１に用紙がセットされているか否かを検知するためのセットセンサーＳ６を設けてもよい（図３参照）。制御部７は、セットセンサーＳ６の出力に基づき、手差しトレイ６１上の用紙の有無を認識できる。
【００８４】
ここで、手差し給紙部６（手差しトレイ６１自体）には、セット用紙のサイズを検知するためのセンサーが設けられない。これにより、画像形成装置（複合機１００）の製造コストを抑えられる。しかし、手差し用紙のサイズを検知できない。印刷に用いる用紙のサイズがわからなければ、適切な印刷を行えない場合がある。また、形成画像（トナー像）の主走査方向の幅を定めることができない。そこで、操作パネル４では、手差し給紙部６から給紙を行う設定ととともに、手差し用紙のサイズの設定を行うことができる。制御部７は、設定されたサイズを手差し用紙のサイズと認識する（認識サイズ）。
【００８５】
しかし、使用者のなかには、手差し用紙のサイズを毎回設定することを煩わしいと感ずる者もいる。使用者の煩わしさの解消のため、制御部７は、手差し用紙のサイズの自動的な設定を行う（手差し用紙自動設定）。これにより、手差しトレイ６１を利用してコピージョブを実行するときに、操作パネル４に必ず用紙サイズを設定しなくてもよくなる。また、印刷に用いる用紙を原稿として仮にセットし、印刷時の手差しの用紙サイズとして自動設定させることもできる。
【００８６】
図６を用いて、手差し用紙自動設定の流れを説明する。図６のスタートは、使用者によって操作パネル４の設定が開始された時点である。
【００８７】
まず、制御部７は、操作パネル４になされたコピージョブの設定内容を確認し、所定の組合せに含まれる条件設定値の全てが設定されたか否かの確認を続ける（ステップ♯１、ステップ♯１のＮｏ→ステップ♯１）。尚、条件設定値は、各種設定値のうち、手差し用紙のサイズの自動設定を行うか否かを判断するための設定値である。条件設定値は、予め定められ、複数種類ある（詳細は後述）。また、条件設定値について所定の組合せが定められる（詳細は後述）。
【００８８】
そして、所定の組合せに含まれる条件設定値の全てが設定されたとき（所定の組合せに含まれる条件設定値のうち、未設定であった最後の条件設定値が設定されたとき）、手差し用紙自動設定が実行される。尚、ステップ♯１の確認は省略し、制御部７は、セットされた原稿のサイズが手差し用紙のサイズと直ちに認識するようにしてもよい。
【００８９】
続いて、制御部７は、読取ユニット１に原稿がセットされている状態にあるか否か（原稿がセットされているか、あるいは、原稿が新たにセットされたか）を確認する（ステップ♯２）。具体的に、制御部７は、原稿搬送制御部２０からの通知に基づき、原稿が原稿トレイ２１にセットされているか否か、及び、読取制御部３０からの通知に基づき、原稿が載置読取用コンタクトガラス３２にセットされているか否かを確認する。
【００９０】
原稿トレイ２１に原稿がセットされているか否かは、原稿セットセンサーＳ１の出力値に基づいて判断される。また、載置読取用コンタクトガラス３２に原稿がセットされているか否かは、原稿搬送部２の開閉があったときのプレスキャンでの主走査方向での用紙のサイズ検知や、テーブル原稿センサーＳ５の出力に基づき判断される。
【００９１】
原稿がセットされていないとき（ステップ♯２のＮｏ）、フローは、ステップ♯１に戻る。一方、原稿が読取ユニット１にセットされている状態のとき（ステップ♯２のＹｅｓ）、制御部７は、所定の組合せに含まれる条件設定値の全てが設定された時点と、前記時点から所定時間遡った時点の間に、操作パネル４への入力により手差し用紙のサイズが設定されたか否かを確認する（ステップ♯３）。これは、使用者が設定したサイズを優先するためである。ここで、所定時間は、適宜定めることができる時間である。所定時間は、原稿をセットしてから所定の組合せに含まれる条件設定値の全てを設定するのに要すると予測される時間に、マージンを付加した時間である（例えば、２〜３分）。
【００９２】
もし、所定時間内に、手差し用紙のサイズが設定されているとき（ステップ♯３のＹｅｓ）、制御部７は、操作パネル４で設定されたサイズの用紙が手差しトレイ６１にセットされていると認識する（ステップ♯４）。
【００９３】
一方、所定時間内に、操作パネル４に手差し用紙のサイズが設定されていないとき（ステップ♯３のＮｏ）、制御部７は、認識しているセット原稿のサイズ（原稿サイズ設定画面４ａ２で使用者により設定されたセット原稿のサイズ、又は、原稿サイズ検知部の出力に基づき自動検知されたセット原稿のサイズ）を、手差し用紙のサイズと認識する（手差し用紙自動設定。ステップ♯５）。即ち、制御部７は、読取ユニット１にセットされた原稿のサイズを認識している状態で、所定の組合せに含まれる条件設定値の全てが設定されたことをトリガとして手差し用紙自動設定を行う。所定の組合せに含まれる条件設定値の全てが設定されていない状態では、制御部は、読取ユニット１のセット原稿のサイズを認識しても、手差し用紙自動設定を行わない。
【００９４】
このように、本実施形態の複合機１００では、セット原稿のサイズと手差し用紙のサイズが同じと自動的に設定される。そのため、条件設定値は、セット原稿のサイズと手差し用紙のサイズが同じと見なしてよい（セット原稿と同じサイズの用紙を用いてコピージョブを行うとみなしてよい）場合に設定される設定値である。
【００９５】
条件設定値は、手差し給紙部６を給紙元とする設定値と、印刷倍率における等倍の設定値と、原稿サイズ検知部（サイズセンサーＳ２、可変抵抗部Ｓ３、テーブル原稿センサーＳ５、読取機構３ａ）の出力に基づき原稿サイズを自動検知する旨の設定値と、セット原稿のサイズを指定によって設定された設定値である。
【００９６】
条件設定値について、所定の組合せが定められる。所定の組合せのうちの１つは、手差し給紙部６を給紙元とする設定値、等倍の設定値、原稿サイズ検知部の出力に基づき原稿サイズを自動検知する旨の設定値（原稿サイズ自動検知キーＫ３５への操作、図５Ｃ参照）である。
【００９７】
この組合せにおいて、手差し給紙部６を給紙元とする設定値は、手差しトレイ６１から給紙を行ってコピージョブを行う前提となる設定値である。使用者が原稿サイズを自動検知する設定とし、かつ、等倍と設定したとき、使用者は原稿のサイズと同じサイズの用紙に印刷を行いたい可能性が極めて高い。そのため、これらの条件設定値が１つの所定の組合せとして予め定められる。この所定の組合せに含まれる条件設定値の全てが設定されたとき、制御部７は、自動検知したセット原稿のサイズを手差し用紙のサイズと認識する（手差し用紙自動設定）。
【００９８】
所定の組合せのうち、他の１つは、手差し給紙部６を給紙元とする設定値、等倍の設定値、セット原稿のサイズの指定により設定された設定値である（原稿サイズ設定画面４ａ２で指定された具体的な原稿サイズ、図５Ｃ参照）。
【００９９】
この所定の組合せにおいて、手差し給紙部６を給紙元とする設定値は、前提となる設定値である。使用者が原稿サイズ設定画面４ａ２にて、カスタムサイズや定形サイズのような原稿サイズを指定したとき、原稿のサイズを使用者は十分認識している。更に、倍率を等倍に設定したならば、使用者は、原稿を等倍でコピーしても手差しトレイ６１にセットした用紙からはみ出ずに印刷できると認識している。言い換えると、手差し給紙部６を給紙元とし、等倍設定し、さらに、原稿のサイズを指定したならば、使用者は、設定した原稿のサイズ以上の用紙を、手差しトレイ６１にセットすべきとわかっている。そのため、設定された原稿サイズを手差しトレイ６１にセットされた用紙サイズとみなし、等倍印刷しても、用紙から原稿の内容がはみ出す可能性は低い。そのため、これらの条件設定値が１つの組合せとして予め定められる。この組合せに含まれる条件設定値の全てが設定されたとき、制御部７は、指定されたセット原稿のサイズを手差し用紙のサイズと認識する（手差し用紙自動設定）。
【０１００】
尚、条件設定値及び所定の組合せの種類は更に多くてもよい。
【０１０１】
そして、手差し用紙自動設定がなされたとき（ステップ♯５）、制御部７は、禁則に関する処理を行う（ステップ♯６）。具体的に、制御部７は、禁則に関する処理として（１）条件設定値を変更する設定を受け付けない、あるいは、（２）操作パネル４が、条件設定値を変更する設定を受け付けたとき、制御部７は、手差し用紙自動設定による用紙サイズの認識結果を破棄する。破棄したとき、制御部７は、手差し用紙のサイズを設定するための設定画面を表示部４１に自動的に表示させる。尚、手差し用紙のサイズを設定するための設定画面は、上述した「用紙サイズ選択」の設定項目キーＫ２を操作したときに表示される設定画面と同じ設定画面である。
【０１０２】
（１）の禁則に関する処理は、一旦、手差し用紙のサイズとして適切なサイズを制御部７が認識した以上、認識サイズとは異なるサイズが適切な用紙サイズとなるような設定を禁則（禁止）とするものである。言い換えると、認識サイズが適切である設定の状態を保つ処理を行う。
【０１０３】
（２）の禁則に関する処理は、一旦、手差し用紙のサイズとして適切なサイズが認識されたものの、認識サイズとは異なる用紙のサイズが適切となるような設定がなされることは許容する。
【０１０４】
手差し用紙のサイズは設定された状態であるので、ステップ♯４、ステップ♯６の後、本フローは終了する（エンド）。その結果、制御部７は、手差し用紙のサイズを正しく認識し、用紙の認識サイズに基づいた印刷を印刷部５に行わせる。具体的には、認識サイズの範囲内でトナー像を形成し、認識サイズの範囲からはみ出してトナー像を形成しない。
【０１０５】
（セット原稿が無くなったときの手差し用紙のサイズの自動変更）
次に、図７、図８に基づき、セット原稿が無くなったときの手差し用紙のサイズの自動設定を説明する。
【０１０６】
コピージョブが完了すると、読取ユニット１にはセット原稿が無い状態となる。具体的に、原稿搬送部２に原稿をセットしてコピージョブが実行されると、最終的に、全ての原稿が送り出され、原稿トレイ２１に原稿が無い状態となる。また、載置読取用コンタクトガラス３２に原稿をセットした使用者は、コピージョブ後、通常（忘れない限り）、原稿を回収する。その結果、載置読取用コンタクトガラス３２上の原稿は無くなる。
【０１０７】
また、コピーしようとしていた使用者は、原稿を読取ユニット１にセットした後、他の業務を思い出した場合や電話が入った場合のように、コピーを結局実行しないで複合機１００から立ち去る場合ある。この場合、使用者は、いったんセットした原稿を回収する。
【０１０８】
このように、原稿をセットしコピーを完了したとき、あるいは、コピーを実行しないで使用者が複合機１００から立ち去るとき、原稿は回収される。その結果、セット原稿が無い状態となる。
【０１０９】
複合機１００（画像形成装置）には、手差し用紙のサイズを検知するためのセンサーが手差しトレイ６１（手差し給紙部６）に設けられない。手差し用紙自動設定が行われる場合を除き、手差し給紙部６から給紙を行って印刷を行うとき、用紙サイズを設定することが求められる。コピージョブの場合、操作パネル４に手差し用紙のサイズを入力する。また、プリントジョブ（コンピューター２００から印刷用データを送信しての印刷）の場合であって、手差しトレイ６１から給紙して印刷を行う場合、コンピューター２００のプリンタードライバーソフトウェアで手差し用紙のサイズが設定される。
【０１１０】
ここで、印刷ジョブが完了したとき、基本的に、手差し用紙のサイズの設定がリセットされたり、手差しトレイのサイズがデフォルトの値に戻されたりしない。制御部７は、新たな手差し用紙のサイズ設定がなされるまで、前に設定されたサイズの用紙が手差しトレイ６１（手差し給紙部６）にセットされているという認識を続ける。
【０１１１】
そして、必ず使用者が手差し用紙のサイズを設定することは、不便な場合がある。例えば、ある使用者がカスタムサイズを設定してコピーやプリントジョブを行っている途中で、割り込みで他の定形サイズでのコピージョブが行われたとする。両コピージョブで用紙のサイズが異なると手差し用紙のサイズ変更がなされる。このとき、割り込んだコピージョブの完了後、手差し用紙のサイズの設定がカスタムサイズに自動的に戻されると、カスタムサイズの手差し用紙で印刷を続ける使用者にとって極めて便利である。
【０１１２】
このような、使用者の便宜を考慮し、手差し用紙自動設定によって手差し用紙のサイズの変更があった後、セット原稿がなくなったとき、制御部７は、認識する手差し用紙のサイズ（認識サイズ）を変更前に自動的に戻す。
【０１１３】
以下、図７を用いて、セット原稿が無くなったときの手差し用紙のサイズの自動変更の流れを説明する。図７のスタートは、セット原稿が無くなった時点である。制御部７が原稿セットセンサーＳ１の出力に基づき、セット原稿が無くなったことを認識した時点、あるいは、原稿搬送部２の開閉時のプレスキャンで原稿のサイズを認識できず、載置読取用コンタクトガラス３２にセットされている原稿が無くなったと認識した時点である。
【０１１４】
まず、制御部７は、直前の原稿のセットにより、手差し用紙自動設定がなされたか否かを確認する（ステップ♯１１）。上述のように、原稿のセットがあったとき、手差し用紙自動設定がなされるときもあれば、使用者が手差し用紙のサイズを設定するときもある。
【０１１５】
もし、手差し用紙自動設定がなされていなければ（ステップ♯１１のＮｏ）、本フロー（本制御）を終了する（エンド）。一方、手差し用紙自動設定がなされていれば（ステップ♯１１のＹｅｓ）、手差し用紙自動設定のとき手差し用紙のサイズの変更があったか否かを確認する（ステップ♯１２）。
【０１１６】
手差し用紙自動設定のとき手差し用紙のサイズの変更がないとき（ステップ♯１２のＮｏ、複数ジョブにわたって同サイズの手差し用紙を用いているとき）、現在、手差し用紙として認識されているサイズの用紙の継続利用が考えられる。そのため、変更する必要性は無い。そこで、前の手差し用紙自動設定で、手差し用紙のサイズ変更が行われていないとき（ステップ♯１２のＮｏ）、本フロー（本制御）を終了する（エンド）。
【０１１７】
一方、前の手差し用紙自動設定のとき、手差し用紙のサイズの変更があれば（ステップ♯１２のＹｅｓ）、制御部７は、予め定められた条件に従って、手差し用紙のサイズの自動変更処理を行う（ステップ♯１３）。
【０１１８】
具体的に、制御部７は、図８に示す自動変更設定画面４ｂでなされた設定に基づき、手差し用紙のサイズの自動変更処理を行う。その結果、条件に適合した場合、制御部７は、手差し用紙の認識サイズを変更する。
【０１１９】
図８の自動変更設定画面４ｂは、複合機１００の振る舞いを設定するシステム設定画面の一種である。操作パネル４に所定の操作が行われると、制御部７は、自動変更設定画面４ｂを表示部４１に表示させる。
【０１２０】
自動変更設定画面４ｂには、自動変更実行キーＫ７と自動変更不実行キーＫ８が配される。自動変更実行キーＫ７の表示位置をタッチすることにより、セット原稿が無くなったとき手差し用紙のサイズの自動変更を利用する設定とすることができる。一方、自動変更不実行キーＫ８を操作することにより、セット原稿が無くなったときの手差し用紙のサイズの自動変更を行わないようにすることもできる。自動変更不実行キーＫ８は、手差しトレイ６１にセットする用紙のサイズが常時決まっている使用者に有効である。
【０１２１】
そして、セット原稿が無くなったときの手差し用紙のサイズの自動変更の機能を利用するとき、どのような場合に、どのような用紙に自動変更を行うかを設定するための３つのラジオボタンが設けられる（第１ラジオボタンＣ１、第２ラジオボタンＣ２、第３ラジオボタンＣ３）。タッチすることで、ラジオボタンを選択することができる。
【０１２２】
第１ラジオボタンＣ１は、原稿が無くなった時間帯に基づき自動変更を行うときに操作される。具体的に、第１ラジオボタンＣ１が選択、設定されているとき、制御部７は、手差し用紙自動設定により手差し用紙の認識サイズを異なるサイズに変更した後、原稿セット検知部の出力に基づきセット原稿が無くなったことを認識した状態であって、現在の時刻が予め定められた時間帯に属しているとき、予め定められた定形サイズを手差し用紙のサイズと認識する（認識サイズの自動変更）。
【０１２３】
具体的に、２つのプルダウンメニューのうち、左側の第１プルダウンメニューＰＭ１を操作して、予め定められた時間帯を設定することが出来る。第１プルダウンメニューＰＭ１を操作すると、不図示の時間帯設定画面が表示され、使用者は所望の時間帯を設定することができる。また、右側の第２プルダウンメニューＰＭ２を操作することにより、定形サイズを指定することが出来る。第２プルダウンメニューＰＭ２を操作すると、不図示の定形サイズ設定画面が表示され、使用者は所望の用紙サイズを定めることができる。会社の業務において、印刷に用いられる用紙サイズが特定の時間帯でほぼ決まっているような場合、時間帯と定形サイズによる認識サイズの変更は特に有効である。
【０１２４】
第２ラジオボタンＣ２は、手差し用紙自動設定による変更前の認識サイズに戻すように設定するときに操作される。第２ラジオボタンＣ２が選択、設定されている状態のとき、制御部７は、手差し用紙自動設定により手差しトレイ６１の用紙のサイズが異なるサイズに変更されたと認識した後、原稿セット検知部の出力に基づき、セット原稿が無くなったことを認識したとき、変更前のサイズを手差しトレイ６１の用紙のサイズと認識する（変更前のサイズに認識サイズを自動変更）。手差しトレイ６１にカスタムサイズの用紙をセットして頻繁に利用する場合、カスタムサイズを使用者が再設定しなくてすむようになり、便利である。
【０１２５】
最下段の第３ラジオボタンＣ３は、自動変更により認識した手差し用紙のサイズが適切である確率を高めたいときに操作される。第３ラジオボタンＣ３が選択、設定されているときであって、手差し用紙自動設定により手差しトレイ６１の用紙のサイズが異なるサイズに変更されたと認識した後、セット原稿が無くなったことを認識したとき、制御部７は、変更前のサイズの用紙を用いて印刷ジョブを行った所定期間内の回数が所定値以上の場合に限り、変更前のサイズを手差しトレイ６１の用紙のサイズと認識する。つまり、変更前の用紙サイズの利用頻度が高いときに限り、もとの用紙サイズに認識サイズを自動変更する。
【０１２６】
そのため、記憶部７３は、用紙サイズごとに、所定期間内での印刷に使用された回数を記憶する。所定期間は、適宜定めることができ、数時間、十数時間、数十時間、１日、数日、１週間、１ヶ月など、適宜定めることが出来る。また、所定値も所定期間にあわせて適宜設定される。
【０１２７】
また、制御部７は、手差し用紙自動設定により、手差しトレイ６１の用紙のサイズが異なるサイズに変更されたと認識した後、原稿セット検知部の出力に基づき、セットされた原稿が無くなったことを認識したとき、所定期間内で最も印刷ジョブで利用された回数が多いサイズを、手差し用紙のサイズと認識するようにしてもよい。
【０１２８】
（用紙サイズのエラー）
次に、図１、図９を用いて、実施形態に係る複合機１００での手差しトレイ６１から給紙された用紙のサイズエラーを説明する。図９は、複合機１００での手差しトレイ６１から給紙して印刷するときの流れの一例を示すフローチャートである。
【０１２９】
まず、図１実施形態に係る複合機１００の印刷部５は、給紙された用紙を搬送する搬送部５ｂと、トナー像を形成し用紙に転写する画像形成部５ｃを含む。そして、手差し給紙部６から画像形成部５ｃまでの搬送部５ｂ（搬送経路）に、搬送される用紙を検知する搬送センサー５３が設けられる。
【０１３０】
搬送センサー５３は、手差し給紙部６とトナー像を用紙に転写する転写ローラー５２の間に設けられる。搬送センサー５３は、検知領域に用紙が存在しているときと存在していないときで出力値（レベル）が異なる。搬送センサー５３は、用紙が到達し通過しているときと用紙が存在いないときとで透過、遮光の状態を異ならせるアクチュエーターを含む透過型の光センサーである。また、搬送センサー５３は、反射型の光センサーや、超音波センサーでもよい。
【０１３１】
搬送センサー５３の出力は、制御部７に入力される（図３参照）。制御部７は、搬送センサー５３の出力に基づき、搬送センサー５３の検知位置に用紙が存在しているか否かを認識する。また、制御部７は、搬送センサー５３の用紙検知により、搬送センサー５３の設置位置への用紙到達を認識する。また、用紙到達検知後、搬送センサー５３が用紙を検知しなくなったことにより、制御部７は、搬送センサー５３の設置位置からの用紙通過を認識する。
【０１３２】
ここで、用紙の搬送速度は、仕様上、予め定められる。そのため、制御部７は、搬送センサー５３の用紙の到達検知から通過検知までの時間に、仕様上の搬送速度や予め定められた搬送速度を乗ずることで、用紙の副走査方向のサイズを求めることができる。
【０１３３】
まず、図９でのスタートは、手差しトレイ６１から給紙を行ってコピージョブのような印刷を開始する時点である。
【０１３４】
制御部７は、手差し給紙モーター６４の回転開始と、無給紙ジャムの検知のための無給紙ジャム確認時間の計時を開始する（ステップ♯２１）。そして、制御部７は、搬送センサー５３が用紙到達を検知したか否かを確認する（ステップ♯２２）。もし、用紙到達を検知していないとき（ステップ♯２２のＮｏ）、制御部７は、無給紙ジャム確認時間が、無給紙ジャムと判定するまでの許容時間を超えているか否かを確認する（ステップ♯２３）。
【０１３５】
許容時間を超えていないとき（ステップ♯２３のＮｏ）、フローは、ステップ♯２２に戻る。許容時間を超えたとき（ステップ♯２３のＹｅｓ）、制御部７は、無給紙ジャム発生と判断し、予め定められた無給紙ジャムエラー処理を行う（ステップ♯２４→エンド）。制御部７は、表示部４１での無給紙ジャムが発生した旨の表示と、印刷部５の給紙、用紙搬送、画像形成を停止を無給紙ジャムエラー処理として行う。
【０１３６】
一方、用紙到達を検知したとき（ステップ♯２２）、制御部７は、用紙到達検知から用紙通過を検知するまでの通過所要時間を計時する（ステップ♯２５）。そして、制御部７は、通過所要時間に予め定められた係数（仕様上の搬送速度）を乗じて、手差しトレイ６１から給紙された用紙の副走査方向のサイズを求める（ステップ♯２６）。
【０１３７】
そして、制御部７は、求めた副走査方向のサイズと、手差し用紙として認識しているサイズの副走査方向の長さとが一致しているか（差が許容範囲であるか）否かを確認する（ステップ♯２７）。一致しているとき（ステップ♯２７のＹｅｓ）、問題はないので、本フローは終了する。
【０１３８】
一致していないとき（ステップ♯２７のＮｏ）、制御部７は、手差し用紙のサイズエラーと判定する（ステップ♯２８）。そして、制御部７は、画像形成部５ｃにトナー像の形成を停止させる（ステップ♯２９）。また、制御部７は、表示部４１に正しいサイズの用紙をセットすべき旨の表示を行わせる（ステップ♯２１０）。さらに、搬送経路からの用紙除去の手間を省くため、制御部７は、搬送経路に残る用紙を排出トレイ５１まで搬送部５ｂに搬送させる（ステップ♯２１１）。そして、本フローは終了する（エンド）。
【０１３９】
（等倍でない倍率が設定されたときの警告）
次に、図１０、図１１を用いて、原稿が読取ユニット１にセットされ、手差し給紙部６から給紙を行う設定がなされ、かつ、等倍ではない倍率が設定されたときの処理を説明する。
【０１４０】
手差し用紙自動設定を行うことにより、制御部７は、読取ユニット１にセットした原稿のサイズと同じサイズを手差し用紙のサイズと認識する。これにより、使用者は、必ず、手差し用紙のサイズを設定しなくてもよくなる。
【０１４１】
一方、等倍でない倍率が設定されると、所定の各組合せで必須とされる、等倍の条件を欠く。そのため、等倍でない倍率が設定された状態では、手差し用紙自動設定はなされない。使用者は、手差し用紙のサイズ設定を操作パネル４に自分で行う必要がある。特に、等倍よりも大きい倍率が設定されたときには注意が必要である。セット原稿よりも大きな用紙を手差しトレイ６１にセットしなければ、原稿の内容が印刷物内に全て印刷されない場合がある。そこで、原稿が読取ユニット１にセットされていて、手差し給紙部６から給紙を行う設定がなされ、かつ、等倍でない倍率が設定されたとき、警告メッセージを表示部４１に表示させる。また、手差し用紙のサイズの設定の簡易化を図る。この点、図１０を用いて説明する。
【０１４２】
図１０は、倍率の設定値（等倍でない倍率）の設定を終え、コピー初期画面４ａに切り替えられた時点に、表示部１１に表示される画面の一例である。そして、コピー初期画面４ａ上には、警告メッセージが表示される。図１０に示すように、警告メッセージは、コピー初期画面４ａの上方のポップアップ内に表示される。
【０１４３】
制御部７は、使用者により設定された現在の倍率（図１０の例では１２５％）と、検知しているセット原稿のサイズを表示部４１に表示させる。そして、図１０に示す例では、設定されている倍率が等倍（１００％）を超えている。制御部７は、手差し給紙部６が給紙元に設定され、倍率が等倍ではないとき、手差し用紙のサイズに注意すべき警告メッセージを表示部４１に表示させる。
【０１４４】
原稿サイズがＡ４、倍率１２５％のとき、Ａ４用紙を手差しトレイ６１にセットして印刷すると、原稿の内容の一部がはみ出る。また、Ａ４用紙の幅の範囲以上の主走査方向の長さで、感光体ドラムにトナー像が形成される。しかし、警告メッセージを出すので、原稿の内容がはみ出た印刷がなされないように、使用者の注意を喚起することができる。
【０１４５】
更に、制御部７は、設定された倍率が等倍でないとき（等倍を超えているとき）、設定された倍率で印刷するときに推奨される手差し用紙のサイズを求め、警告メッセージと求めた推奨の手差し用紙のサイズ（定形サイズ）を表示部４１に表示させる。
【０１４６】
記憶部７３は、推奨の手差し用紙のサイズを求めるためのデータ（図１１参照）を記憶する。倍率に応じ、どのような推奨の手差し用紙のサイズを求めるか（データの内容）は適宜定めることができる。具体的に、定形サイズごとに、原稿の縦辺及び横辺に倍率を乗じて得られる長さが、手差し用紙の縦辺及び横辺の範囲内に収まるように、推奨の手差し用紙の定形サイズを定める。制御部７は、記憶部７３に記憶されたこのデータと、設定された倍率に基づき、推奨の手差し用紙のサイズを求める。図１０の例では、表示部は、推奨の手差し用紙のサイズとして、Ａ３サイズを表示する。
【０１４７】
更に、制御部７は、警告メッセージを表示するとき、手差し用紙のサイズを選択するためのキーを表示部４１に表示させる。図１０の例では、サイズ選択キーＫ９、Ｋ１０が表示される。サイズ選択キーＫ９は、推奨の手差し用紙のサイズを、手差し用紙のサイズと設定するためのキーである。サイズ選択キーＫ１０は、セット原稿と同じサイズを手差し用紙のサイズと設定するためのキーである。サイズ選択キーＫ１０のように、原稿と同じサイズを手差し用紙のサイズと設定するためのキー（サイズ選択キーＫ１０）を表示するのは、誤って等倍でない倍率を設定してしまうことがあるためである。
【０１４８】
サイズ選択キーＫ９には、推奨の手差し用紙のサイズを示す文字列が含まれる。サイズ選択キーＫ９への操作をタッチパネル部４２が受け付けたとき、制御部７は、倍率の設定値を変更せず、推奨の手差し用紙のサイズを手差し用紙のサイズと認識する。そして、印刷時に制御部７は、推奨の手差し用紙の主走査方向のサイズに対応したトナー像を画像形成部５ｃに形成させる。
【０１４９】
一方、サイズ選択キーＫ１０には、セット原稿と同じサイズを示す文字列が含まれる。サイズ選択キーＫ１０への操作をタッチパネル部４２が受け付けたとき、制御部７は、倍率の設定値を等倍に自動的に設定するとともに検知された原稿サイズを手差し用紙のサイズと認識する。このような処理は、手差し用紙の自動的な設定の一種といえる。
【０１５０】
例えば、原稿をＡ４とし、Ｂ５の用紙に印刷するとき、自動変倍が設定されていると、倍率は８４〜８６％程度の値とされる。セット原稿のサイズがＡ４であり、原稿よりも１レベル小さい用紙のサイズをＢ５とするとき、倍率が８４〜８６％以下でなければ、Ｂ５サイズの用紙に、Ａ４原稿の内容を全て含ませることができない。
【０１５１】
従って、以下の条件では、制御部７は、ポップアップを表示部４１に表示させないようにしてもよい。ポップアップを表示させるとしても、制御部７は、サイズ選択キーＫ９、Ｋ１０にセット原稿と同じサイズを表示部４１に表示させるようにしてもよい。
（条件１）手差し給紙部６を用いる。
（条件２）原稿がセットされている（検知の結果、制御部７が原稿サイズを認識している）。
（条件３）等倍よりも小さい倍率が設定されている。
（条件４）設定された倍率が原稿よりも１レベル小さい用紙に原稿の内容を全て含ませることができる倍率のうち最も大きい倍率以上である。
【０１５２】
（給紙元選択画面４ａ１からの手差し用紙のサイズの設定）
次に、図１２を用いて、手差し用紙設定画面４ａ３での手差し用紙のサイズの設定を説明する。
【０１５３】
手差しトレイ６１から給紙を行って印刷を行うとき、給紙元を手差しトレイ６１に設定する必要がある。給紙元選択画面４ａ１では、給紙元を手差しトレイ６１とする設定を行うことができる（図５Ｂ参照）。
【０１５４】
手差し給紙部６にはセットされた手差し用紙のサイズを検知するためのセンサーが無い。そこで、手差し給紙部６（手差しトレイ６１）が給紙元に選択されたとき、表示部４１は、手差し用紙設定画面４ａ３（図１２参照）を表示するようにしてもよい。言い換えると、給紙元選択画面４ａ１のうち、手差しトレイ６１に対応する給紙元選択キーＫ１１が操作されたとき、表示部４１は手差し用紙設定画面４ａ３を自動的に表示してもよい。これにより、用紙のサイズを設定する画面への切替操作を行わないで、手差しトレイ６１の用紙サイズを直ちに設定することができ、設定操作を簡略化することができる。
【０１５５】
手差し用紙設定画面４ａ３には、原稿同サイズキーＫ１１０、標準サイズキーＫ１１１、サイズ入力キーＫ１１２の３種類のキーが設けられる。
【０１５６】
操作パネル４（タッチパネル部４２）は、原稿同サイズキーＫ１１０への操作を、制御部７が認識している原稿サイズを手差し用紙のサイズとする設定と受け付ける。そして、制御部７は、認識している原稿のサイズを手差し用紙のサイズと認識する。原稿サイズ設定画面４ａ２にて使用者により原稿サイズが指定されたとき、制御部７は、使用者が指定した原稿サイズを手差し用紙のサイズと認識する。また、原稿サイズの自動検知が設定されているとき、制御部７は、各センサーを用いて検知された原稿サイズを手差し用紙のサイズと認識する。
【０１５７】
また、操作パネル４は、標準サイズキーＫ１１１への操作を、予め定められた標準サイズを手差し用紙のサイズとする設定として受け付ける。標準サイズは、操作パネル４のシステム設定画面（不図示）で予め設定される。定形サイズを標準サイズに設定することもできるし、カスタムサイズを標準サイズと設定することもできる。この場合、制御部７は、手差し用紙のサイズは標準サイズと認識する。
【０１５８】
更に、操作パネル４は、サイズ入力キーＫ１１２への操作を、手入力により手差し用紙のサイズを設定する指示として受け付ける。サイズ入力キーＫ１１２が操作されると、表示部４１は、テンキー部４３ｂで数値入力してサイズを設定するための画面を表示する。これにより、使用者は、長さを入力することにより、手差し用紙のサイズを設定できる。この場合、制御部７は、手入力されたサイズを手差し用紙のサイズと認識する。
【０１５９】
なお、手差し給紙部６を給紙元とする設定値と、等倍の設定値が設定されていて、更に、セット原稿のサイズを指定する設定値が設定されたとき、又は、原稿サイズ検知部の出力に基づき原稿サイズを自動検知する旨の設定値が設定されたとき、所定の組合せに含まれる条件設定値の全てが設定されたことになる。そのため、等倍の設定、セット原稿のサイズに関する設定がなされた後、手差し給紙部６を給紙元とする設定値が設定されたとき、手差し用紙設定画面４ａ３を表示せずに、制御部７は、手差し用紙自動設定を行ってもよい。
【０１６０】
また、手差し給紙部６を給紙元とする設定に応じ、手差し用紙設定画面４ａ３にて、手差し用紙のサイズの設定後、等倍と原稿サイズの設定がなされる場合がある。言い換えると、手差し用紙設定画面４ａ３で手差し用紙のサイズ設定後、所定の組合せに含まれる条件設定値の全てが設定される場合がある。
【０１６１】
このような場合、制御部７は、手差し用紙自動設定を行ってもよい。手差し用紙設定画面４ａ３で設定された手差し用紙のサイズと、自動検知された、又は、指定された原稿サイズが異なっているとき、制御部７は、認識している手差し用紙のサイズを自動検知された、又は、指定された原稿サイズに変更してもよい。尚、制御部７は、所定の組合せに含まれる条件設定値の全てが設定された時点と、当該時点から所定時間遡った時点の間で、操作パネル４で（手差し用紙設定画面４ａ３で）手差し用紙のサイズが設定されていたとき、手差し用紙自動設定を行わない。
【０１６２】
このように、操作パネル４では、手差し給紙部６（手差しトレイ６１）を給紙元に選択したとき、手差し用紙のサイズの設定手続を簡略化できるように工夫されている。
【０１６３】
このようにして、実施形態に係る画像形成装置（複合機１００）は、原稿がセットされたことを検知する原稿セット検知部（原稿セットセンサーＳ１、テーブル原稿センサーＳ５、読取機構３ａ）と、セットされた原稿のサイズを検知するための原稿サイズ検知部（サイズセンサーＳ２、可変抵抗部Ｓ３、テーブル原稿センサーＳ５、読取機構３ａ）と、を含む読取ユニット１と、印刷部５による印刷に用いる用紙を供給し手差しトレイ６１を含み手差しトレイ６１自体にはセットされた用紙のサイズを検知するためのセンサーが設けられない手差し給紙部６を備え、読取ユニット１での読み取りで得られた画像データ、又は、受信したデータに基づき印刷を行う印刷部５と、印刷と原稿読み取りに関する設定を行うための設定画面を表示する表示部４１を含み、印刷と原稿読み取りに関する設定を受け付け、手差し給紙部６から給紙を行う設定と手差しトレイ６１にセットされた用紙である手差し用紙のサイズの設定と、読取ユニット１にセットされた原稿のサイズの設定を受け付ける操作パネル４と、原稿サイズ検知部の出力に基づき読取ユニット１にセットされた原稿であるセット原稿のサイズを自動的に検知し、原稿サイズ検知部の出力に基づくセット原稿のサイズの自動検知、又は、操作パネル４への原稿のサイズの設定に基づきセット原稿のサイズを認識し、認識したセット原稿のサイズを手差し用紙のサイズと認識する手差し用紙自動設定を行い、手差し給紙部６に給紙を行わせ、認識した用紙のサイズである認識サイズに基づき、手差し給紙部６から給紙された用紙への印刷を印刷部５に行わせる制御部７と、を備える。
【０１６４】
これにより、手差しトレイ６１に複数の用紙サイズ検知用センサーを設けない構成としたときに、手差し用紙（手差しトレイ６１にセットされた用紙）のサイズが自動的に設定される（認識される）。従って、手差し用紙サイズの設定を使用者が行わなくてすみ、使用者に煩わしさ、不快さを感じさせない。また、印刷に用いる用紙を原稿として検知させるために原稿をセットし、印刷時の手差しの用紙サイズとして自動設定することもできる。また、手差しトレイ６１に用紙サイズ検知用センサーを設けなくて済むので、画像形成装置（複合機１００）の製造コストを減らすことができる。また、一般的に、原稿の複写（コピー）では等倍（１００％）の倍率が設定されることが多く、等倍コピーを希望する使用者は、手差しトレイ６１に原稿と同じサイズの用紙をセットすることが多いので、結果として、手差し用紙のサイズとして、正確なサイズを認識する確率は高くなる。
【０１６５】
また、読取ユニット１にセットした原稿のサイズと同じサイズの用紙を、手差し用紙のサイズと認識するので、使用者は、制御部７が手差し用紙をどのようなサイズと認識しているか、簡単に予測できる。一方で、使用者は、操作パネル４を操作して、手差し用紙のサイズを設定することも可能である。そのため、使用者が印刷したい用紙（手差し用紙）のサイズと、原稿のサイズと異なるときのみ、使用者は、手差し用紙のサイズを、操作パネル４に入力すればよく、必ず、手差し用紙のサイズを設定する必要がない。
【０１６６】
また、複数の所定の設定値である条件設定値が予め定められる。また、条件設定値について所定の組合せが定められ、る。そして、制御部７は、読取ユニット１に原稿がセットされている状態であって、所定の組合せに含まれる条件設定値の全てがされたとき（所定の組合せに含まれる条件設定値のうち、まだ設定されていなかった最後の条件設定値が設定されたとき）に手差し用紙自動設定を行い、所定の組合せに含まれる条件設定値の全てがされていない状態では読取ユニット１に原稿がセットされても、手差し用紙自動設定を行わない。これにより、手差し用紙自動設定の発動条件（トリガー）が予め定められるので、画像形成装置（複合機１００）の管理者は、手差し用紙自動設定の発動条件を定める手間や、その管理作業をしなくてよい。従って、手差し用紙のサイズを検知するためのセンサーを設けなくても、画像形成装置の管理者の負担は重くならない。
【０１６７】
また、制御部７は、所定の組合せに含まれる条件設定値の全てが設定された時点と、時点から所定時間遡った時点の間で、操作パネル４への入力により手差し用紙のサイズが設定されていたとき、手差し用紙自動設定を行わず、操作パネル４で設定されたサイズを、手差し用紙のサイズと認識する。これにより、使用者が操作パネル４で設定したサイズが、手差し用紙のサイズとして優先的に認識される。
【０１６８】
また、印刷部５は、手差し給紙部６以外の給紙部５ａを含む。そして、操作パネル４は、複数の給紙元のなかから１つを選択する設定と、印刷における倍率の設定（原稿のサイズを１としたときの原稿に対する印刷物の比率、原稿のサイズを１としたときに印刷物に印刷される原稿の内容の比率）と、原稿サイズの設定を受け付ける。条件設定値は、手差し給紙部６を給紙元とする設定値、印刷の倍率における等倍の設定値、原稿サイズ検知部（原稿セットセンサーＳ１、テーブル原稿センサーＳ５、読取機構３ａ）の出力に基づき原稿サイズを自動検知する旨の設定値、及び、セット原稿のサイズを指定する設定値である。そして、制御部７は、手差し給紙部６を給紙元とする設定値、等倍の設定値、原稿サイズ検知部の出力に基づき原稿サイズを自動検知する旨の設定値が設定されたとき、自動検知したセット原稿のサイズを手差し用紙のサイズと認識する手差し用紙自動設定を行う。また、制御部７は、手差し給紙部６を給紙元とする設定値、等倍の設定値、セット原稿のサイズを指定する設定値が設定されたとき指定されたセット原稿のサイズを手差し用紙のサイズと認識する手差し用紙自動設定を行う。これにより、手差しトレイ６１から給紙して印刷を行うとき、設定される頻度が高く、ジョブ実行に際して確認すべき設定項目の設定値であって、等倍印刷されるときに設定される設定値を条件設定値とするので、原稿のサイズと手差し用紙のサイズを同じサイズとすべきときに限り、手差し用紙自動設定による手差し用紙のサイズの自動認識機能を働かせることができる。
【０１６９】
また、制御部７が手差し用紙自動設定を行ったとき、操作パネル４は、条件設定値を変更する設定を受け付けない。これにより、手差し用紙自動設定の後、手差しトレイ６１からの給紙によって適切に印刷が行われなくなるような設定値の変更を規制することができる。言い換えると、手差し用紙自動設定を行った後、倍率の変更のような禁則関係にある設定値を設定できないようにすることができる。
【０１７０】
また、手差し用紙自動設定が行われてから、操作パネル４が、条件設定値を変更する設定を受け付けたとき、制御部７は、手差し用紙自動設定による用紙サイズの認識結果を破棄する。
【０１７１】
これにより、手差し用紙自動設定で手差し用紙のサイズを認識したものの、設定値が変更されることにより、印刷に用いる適切な用紙サイズと認識サイズが合わなくなった時点で手差し用紙自動設定による認識サイズの自動的な解除がなされる。従って、使用者に何らかの操作を行わせないで、手差し用紙のサイズの自動的な認識の解除がなされる。
【０１７２】
また、破棄がなされたとき、制御部７は、手差し用紙のサイズを設定するための設定画面を表示部４１に表示させる。これにより、禁則関係のある設定が新たになされ、用紙サイズの設定のやり直しが必要な状態になったとき、適切な印刷を行ううえで必要なサイズ指定を、使用者に必ず行ってもらうようにすることができる。
【０１７３】
画像形成装置（複合機１００）は、コンピューターから受信したデータに基づき印刷を行う（プリンター機能）。そして、日誌、報告書、請求書、送り状のような文書をまとめて印刷する場合など、同じサイズの用紙ばかり用いて印刷を行う時間帯が存在する場合がある。そこで、制御部７は、手差し用紙自動設定により、手差しトレイ６１の用紙のサイズが異なるサイズに変更されたと認識した後、原稿セット検知部（原稿セットセンサーＳ１、テーブル原稿センサーＳ５、読取機構３ａ）の出力に基づき、セットされた原稿が無くなったことを認識した状態であって、現在の時刻が予め定められた時間帯に属しているとき、予め定められた定形サイズを手差し用紙のサイズと認識する。
【０１７４】
これにより、原稿セットによる手差し用紙自動設定によって、制御部７が特定の時間帯でよく用いられている用紙サイズからセット原稿と同じサイズに変更されたと認識した後、ジョブ完了やジョブ中断に伴いセットされたセット原稿が無くなったとき、制御部７は、自動的に、認識サイズ（制御部７が手差し用紙と認識しているサイズ）を元のサイズ（変更前のサイズ）に戻す。例えば、使用者のコンピューターからのデータを送信に基づくプリンター印刷ジョブとプリンター印刷ジョブの間に、コピージョブの割り込みがあっても、コピー終了とともに、認識サイズが元のサイズに自動的に戻る。従って、速やかにプリンター印刷ジョブを再開することができる。
【０１７５】
また、制御部７は、手差し用紙自動設定により、手差し用紙のサイズが異なるサイズに変更されたと認識した後、原稿セット検知部（原稿セットセンサーＳ１、テーブル原稿センサーＳ５、読取機構３ａ）の出力に基づき、セットされた原稿が無くなったことを認識したとき、変更前のサイズを手差し用紙のサイズと認識する。
【０１７６】
これにより、コピージョブによる手差し用紙自動設定によって、制御部７が認識する手差し用紙のサイズの変更があっても、セットされた原稿が無くなったことに基づきコピージョブの終了や中断があったと認められると、制御部７は、自動的に、認識サイズを元のサイズ（変更前のサイズ）に戻す。従って、使用者がカスタムサイズなどを設定して、画像形成装置（複合機１００）をプリンターとして用いる印刷ジョブと印刷ジョブの間に、他人のコピージョブが割り込んでも、使用者は、わざわざ操作パネル４に、手差し用紙のサイズを再設定することなく、認識サイズが元のサイズに自動的に戻る。従って、速やかにプリンター印刷ジョブを再開することができる。
【０１７７】
また、複合機１００は、所定期間内での、手差し用紙と設定され、印刷に使用された使用回数を用紙サイズごとに記憶する記憶部７３を含む。制御部７は、手差し用紙自動設定により、手差し用紙のサイズが異なるサイズに変更されたと認識した後、原稿セット検知部（原稿セットセンサーＳ１、テーブル原稿センサーＳ５、読取機構３ａ）の出力に基づき、セットされた原稿が無くなったことを認識したとき、変更前のサイズの用紙を用いて印刷ジョブを行った回数が所定値以上のとき、変更前のサイズを手差し用紙のサイズと認識する。
【０１７８】
これにより、コピージョブに伴う手差し用紙自動設定によって、認識サイズの変更があったとき、変更前のサイズの用紙がよく用いられている場合に限り、コピージョブの終了や中断があったと認められると、自動的に認識サイズが変更前のサイズに戻される。従って、認識サイズを変更前に戻す必要性が高いときに限り、認識サイズを変更前サイズに戻すようにすることができる。
【０１７９】
また、印刷部５は、給紙された用紙を搬送する搬送部５ｂと、トナー像を形成し搬送される用紙に転写する画像形成部５ｃと、搬送部５ｂ内に設置され搬送される用紙を検知する搬送センサー５３を含む。そして、手差し給紙部６から給紙がなされている場合、制御部７は、搬送センサー５３の用紙の到達検知から通過検知までの時間に予め定められた搬送速度を乗じて印刷に用いられる用紙の副走査方向のサイズを求め、求めた副走査方向のサイズと、認識している手差し用紙のサイズが異なるとき、画像形成部５ｃにトナー像の形成を停止させ、表示部４１に正しいサイズの用紙をセットすべき旨の表示を行わせ、搬送部５ｂに排出トレイ５１まで用紙を搬送させる。
【０１８０】
これにより、適切な手差し用紙のサイズを認識していないとき、エラー表示によって警告することができる。また、無駄になるトナー像の形成を停止させるので、無駄なトナーの消費を防ぐことができる。また、一旦給紙された用紙の搬送は停止されず、用紙はそのまま排出トレイ５１に排出されるので、画像形成装置（複合機１００）のカバーをあけて、画像形成装置内から用紙を取り除く作業も不要である。
【０１８１】
また、操作パネル４は、印刷における倍率の設定を受け付け、読取ユニット１にセットされた原稿のサイズが検知され、設定された倍率が等倍でない倍率でなく、かつ、手差し給紙部６から給紙を行う設定がなされているとき、制御部７は、手差し用紙のサイズに注意すべき旨の警告メッセージを表示部４１に表示させる。これにより、原稿と異なるサイズの用紙を手差しトレイ６１にセットすべき場合、使用者に注意を喚起することができる。
【０１８２】
また、制御部７は、設定された倍率が等倍でないとき、設定された倍率で印刷するときに推奨される手差し用紙のサイズを求め、警告メッセージと求めた推奨の手差し用紙のサイズを表示部４１に表示させる。これにより、設定倍率に対応したサイズであり、原稿の内容がはみ出ない最小の用紙サイズ（定形サイズ）を使用者に知らせることができる。そして、適切なサイズ（適切な定形用紙）を手差しトレイ６１にセットさせることができる。
【０１８３】
また、制御部７は、警告メッセージを表示するとき、手差し用紙のサイズを選択するためのキー（サイズ選択キーＫ９、Ｋ１０）を表示部４１に表示させ、キーに対する操作によって手差し用紙のサイズとして選択されたサイズと検知された原稿サイズが同じとき、倍率の設定値を等倍に自動的に設定する。これにより、誤った倍率で手差しトレイ６１から用紙が給紙され、印刷がなされることを防ぐことができる。
【０１８４】
表示部４１は、給紙元を設定するための給紙元選択画面４ａ１（図５Ａ参照）を表示するとともに、給紙元選択画面４ａ１にて手差しトレイ６１を給紙元として選択する設定がなされたとき、制御部７が認識している原稿のサイズを手差し用紙のサイズとする設定を行うための原稿同サイズキーＫ１１０を含む手差し用紙設定画面４ａ３（図１２参照）を自動的に表示する。操作パネル４が原稿同サイズキーＫ１１０に対する操作を受け付けたとき、制御部７は、原稿サイズ検知部（原稿セットセンサーＳ１、テーブル原稿センサーＳ５、読取機構３ａ）の出力に基づき検知された原稿サイズ、又は、使用者が指定した原稿サイズを手差し用紙のサイズと認識する。これにより、給紙元の設定にあわせて、容易に手差し用紙のサイズを設定することができる。
【０１８５】
以上、本発明の実施形態を説明したが、本発明の範囲はこれに限定されず、発明の主旨を逸脱しない範囲で種々の変更を加えて実施することができる。
【産業上の利用可能性】
【０１８６】
本発明は、読取装置やこれを備えた画像形成装置に利用可能である。
【図１】
2016052526.tif 000003
【図２】
2016052526.tif 000004
【図３】
2016052526.tif 000005
【図４】
2016052526.tif 000006
【図５Ａ】
2016052526.tif 000007
【図５Ｂ】
2016052526.tif 000008
【図５Ｃ】
2016052526.tif 000009
【図６】
2016052526.tif 000010
【図７】
2016052526.tif 000011
【図８】
2016052526.tif 000012
【図９】
2016052526.tif 000013
【図１０】
2016052526.tif 000014
【図１１】
2016052526.tif 000015
【図１２】
2016052526.tif 000016
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
原稿がセットされたことを検知する原稿セット検知部と、セットされた原稿のサイズを検知するための原稿サイズ検知部を含む読取ユニットと、
印刷に用いる用紙を供給し、手差しトレイを含み、前記手差しトレイ自体にはセットされた用紙のサイズを検知するためのセンサーが設けられない手差し給紙部を備え、前記読取ユニットでの読み取りで得られた画像データ、又は、受信したデータに基づき印刷を行う印刷部と、
印刷と原稿読み取りに関する設定を行うための設定画面を表示する表示部を含み、印刷と原稿読み取りに関する設定を受け付け、更に、前記手差し給紙部から給紙を行う設定、前記手差しトレイにセットされた用紙である手差し用紙のサイズの設定、及び、前記読取ユニットにセットされた原稿のサイズの設定を受け付ける操作パネルと、
前記原稿サイズ検知部の出力に基づき前記読取ユニットにセットされた原稿であるセット原稿のサイズの自動検知、又は、前記操作パネルへの前記セット原稿のサイズの設定に基づき前記セット原稿のサイズを認識し、認識した前記セット原稿のサイズを前記手差し用紙のサイズと認識する手差し用紙自動設定を行い、前記手差し給紙部に給紙を行わせ、認識した用紙のサイズである認識サイズに基づき、前記手差し給紙部から給紙された用紙への印刷を前記印刷部に行わせる制御部と、を備え、
前記制御部は、前記手差し用紙自動設定により、前記手差しトレイの用紙のサイズが異なるサイズに変更されたと認識した後、前記原稿セット検知部の出力に基づき、セットされた原稿が無くなったことを認識した場合、現在の時刻が属する時間帯に対して予め定められた定形サイズを前記手差し用紙のサイズと認識する、又は、変更前のサイズを前記手差し用紙のサイズと認識することを特徴とする画像形成装置。
【請求項２】
複数の設定値である条件設定値が予め定められ、
前記条件設定値について所定の組合せが定められ、
前記制御部は、前記読取ユニットに原稿がセットされている状態であって、所定の前記組合せに含まれる前記条件設定値の全てが設定されたときに前記手差し用紙自動設定を行い、所定の前記組合せに含まれる前記条件設定値の全てが設定されていない状態では、前記読取ユニットに原稿がセットされても、前記手差し用紙自動設定を行わないことを特徴とする請求項１に記載の画像形成装置。
【請求項３】
前記制御部は、所定の前記組合せに含まれる前記条件設定値の全てが設定された時点と、前記時点から所定時間遡った時点の間に、前記操作パネルへの入力により前記手差し用紙のサイズが設定されていたとき、前記手差し用紙自動設定を行わず、前記操作パネルで設定されたサイズを、前記手差し用紙のサイズと認識することを特徴とする請求項２に記載の画像形成装置。
【請求項４】
前記印刷部は、前記手差し給紙部以外の給紙部を含み、
前記操作パネルは、複数の給紙元のなかから１つを選択する設定と、印刷における倍率の設定と、原稿サイズの設定を受け付け、
前記条件設定値は、前記手差し給紙部を給紙元とする設定値、印刷の倍率における等倍の設定値、前記原稿サイズ検知部の出力に基づき原稿サイズを自動検知する旨の設定値、及び、前記セット原稿のサイズを指定する設定値であり、
前記制御部は、前記手差し給紙部を給紙元とする設定値、等倍の設定値、前記原稿サイズ検知部の出力に基づき原稿サイズを自動検知する旨の設定値が設定されたとき、自動検知した前記セット原稿のサイズを前記手差し用紙のサイズと認識する前記手差し用紙自動設定を行い、
前記手差し給紙部を給紙元とする設定値、等倍の設定値、前記セット原稿のサイズを指定する設定値が設定されたとき、指定された前記セット原稿のサイズを前記手差し用紙のサイズと認識する前記手差し用紙自動設定を行うことを特徴とする請求項２に記載の画像形成装置。
【請求項５】
前記表示部は、給紙元を設定するための給紙元選択画面を表示するとともに、前記給紙元選択画面にて前記手差しトレイを給紙元として選択する設定がなされたとき、前記制御部が認識している原稿のサイズを前記手差し用紙のサイズとする設定を行うための原稿同サイズキーを含む手差し用紙設定画面を表示し、
前記操作パネルが前記原稿同サイズキーに対する操作を受け付けたとき、
前記制御部は、前記原稿サイズ検知部の出力に基づき検知された原稿サイズ、又は、使用者が指定した原稿サイズを前記手差し用紙のサイズと認識することを特徴とする請求項１に記載の画像形成装置。
【請求項６】
前記制御部が前記手差し用紙自動設定を行ったとき、
前記操作パネルは、前記条件設定値を変更する設定を受け付けないことを特徴とする請求項２に記載の画像形成装置。
【請求項７】
前記手差し用紙自動設定が行われてから、前記操作パネルが、前記条件設定値を変更する設定を受け付けたとき、
前記制御部は、前記手差し用紙自動設定による用紙サイズの認識結果を破棄し、前記破棄がなされたとき、前記手差し用紙のサイズを設定するための設定画面を前記表示部に表示させることを特徴とする請求項２に記載の画像形成装置。
【請求項８】
（削除）
【請求項９】
（削除）
【請求項１０】
所定期間内での前記手差し用紙と設定され印刷に使用された回数を用紙サイズごとに記載する記憶部を含み、
前記制御部は、前記手差し用紙自動設定により前記手差し用紙のサイズが異なるサイズに変更されたと認識した後、前記原稿セット検知部の出力に基づき、セットされた原稿が無くなったことを認識したときであって、前記所定期間内での変更前のサイズの用紙を用いて印刷ジョブを行った回数が所定値以上のとき、変更前のサイズを前記手差し用紙のサイズと認識することを特徴とする請求項１に記載の画像形成装置。
【請求項１１】
前記印刷部は、給紙された用紙を搬送する搬送部と、トナー像を形成し搬送される用紙に転写する画像形成部と、前記搬送部内に設置され搬送される用紙を検知する搬送センサーを含み、
前記手差し給紙部から給紙がなされている場合、
前記制御部は、前記搬送センサーの用紙の到達検知から通過検知までの時間に予め定められた搬送速度を乗じて印刷に用いられる用紙の副走査方向のサイズを求め、求めた前記副走査方向のサイズと、認識している前記手差し用紙のサイズが異なるとき、前記画像形成部に前記トナー像の形成を停止させ、前記表示部に正しいサイズの用紙をセットすべき旨の表示を行わせ、前記搬送部に排出トレイまで用紙を搬送させることを特徴とする請求項１に記載の画像形成装置。
【請求項１２】
前記操作パネルは、印刷における倍率の設定を受け付け、
設定された倍率が等倍でない倍率であって、前記手差し給紙部から給紙を行う設定がなされているとき、
前記制御部は、前記手差し用紙のサイズに注意すべき旨の警告メッセージを前記表示部に表示させることを特徴とする請求項２に記載の画像形成装置。
【請求項１３】
前記制御部は、設定された倍率が等倍でないとき、設定された倍率で印刷するときに推奨される前記手差し用紙のサイズを求め、前記警告メッセージと求めた推奨の前記手差し用紙のサイズを前記表示部に表示させることを特徴とする請求項１２に記載の画像形成装置。
【請求項１４】
前記制御部は、前記警告メッセージを表示するとき、前記手差し用紙のサイズを選択するためのキーを前記表示部に表示させ、前記キーに対する操作によって前記手差し用紙のサイズとして選択されたサイズと検知された原稿サイズが同じとき、倍率の設定値を等倍に自動的に設定するとともに検知された原稿サイズを前記手差し用紙のサイズと認識することを特徴とする請求項１３に記載の画像形成装置。
【請求項１５】
原稿のセットを検知し、
原稿サイズ検知部を用いてセットされた原稿のサイズを検知し、
印刷に用いる用紙を供給し、
読み取りで得られた画像データ、又は、受信したデータに基づき印刷を行い、
印刷と原稿読み取りに関する設定を行うための設定画面を表示し、
印刷と原稿読み取りに関する設定を受け付け、
手差しトレイを含み、前記手差しトレイ自体にはセットされた用紙のサイズを検知するためのセンサーが設けられない手差し給紙部から給紙を行う設定、前記手差しトレイにセットされた用紙である手差し用紙のサイズの設定、及び、前記読取ユニットにセットされた原稿のサイズの設定を受け付け、
前記原稿サイズ検知部の出力に基づき前記読取ユニットにセットされた原稿であるセット原稿のサイズの自動検知、又は、受け付けられた前記セット原稿のサイズの設定に基づき前記セット原稿のサイズを認識し、
認識した前記セット原稿のサイズを前記手差し用紙のサイズと認識する手差し用紙自動設定を行い、
認識した用紙のサイズである認識サイズに基づき、前記手差し給紙部から給紙された用紙への印刷を行い、
前記手差し用紙自動設定により、前記手差しトレイの用紙のサイズが異なるサイズに変更されたと認識した後、セットされた原稿が無くなったことを認識した場合、現在の時刻が属する時間帯に対して予め定められた定形サイズを前記手差し用紙のサイズと認識する、又は、変更前のサイズを前記手差し用紙のサイズと認識することを特徴とする画像形成装置の制御方法。
【国際調査報告】
2016052526.tif 000017
2016052526.tif 000018
2016052526.tif 000019
2016052526.tif 000020